(57)【要約】【課題】本発明では、ある瞬間における風景を、利用者の希望する複数の画像により、鮮明に撮像することを可能にする撮像装置を提供することを課題とする。また、連続撮像した複数の画像を一括管理して、利用者がこれらを編集、保存などする際に利用しやすいものとする撮像装置を提供することを課題とする。【解決手段】上記課題を解決するために、ファインダ内で複数のフレームなどにより撮像する複数の画像を定め、これらを１回の撮像ボタンの押下で、光学ズームなどにより拡大などしながら連続撮像する撮像装置を提供する。また、連続撮像した複数の画像を、識別情報及び／又は付加情報と関連付けて保存することで、これらをまとめて取り出したり、編集したりすることを可能にする撮像装置を提供する。【選択図】          図３
2008294788.tif 000002
【特許請求の範囲】
【請求項１】
撮像可能領域の全体を表示するファインダと、
ファインダ内の撮像領域を定めるフレーム情報を１以上取得するフレーム情報取得部と、
撮像ボタンと、
一の撮像ボタン押下をトリガとしてフレーム情報により定められる１以上のフレームのそれぞれに順次撮像焦点をあわせる焦点部と、
焦点部により焦点があったタイミングでそれぞれのフレーム内画像を撮像する撮像部と、
からなる撮像装置。
【請求項２】
複数の選択可能フレーム情報を保持するフレーム情報保持部と、
保持されている複数のフレーム情報から実際に撮像に利用する利用フレーム情報を選択してフレーム情報取得部に出力する選択部と、
を有する請求項１に記載の撮像装置。
【請求項３】
フレーム情報保持部が保持する選択可能フレーム情報に基づいてファインダ内に選択可能フレームを表示する選択可能フレーム表示部を有する請求項２に記載の撮像装置。
【請求項４】
フレーム情報取得部が取得したフレーム情報に基づいてファインダ内で撮像に利用するフレームを表示する利用フレーム表示部を有する請求項１から３のいずれか一に記載の撮像装置。
【請求項５】
撮像部は、撮像ボタン押下をトリガとしてファインダ内画像全域をも撮像する全域撮像手段を有する請求項１から４のいずれか一に記載の撮像装置。
【請求項６】
ファインダに表示されている撮像可能領域の画像から人物像を抽出する人物像抽出部と、
抽出人物像を撮像するために所定のルールにてフレーム情報を生成する第一生成部と、
を有する請求項１から５のいずれか一に記載の撮像装置。
【請求項７】
人物像抽出部にて人物像が抽出されない場合には他の所定のルールにてフレーム情報を生成する第二生成部を有する請求項６に記載の撮像装置。
【請求項８】
ルールを保持するルール保持部と、
保持されているルールの追加、変更、削除の入力を受付けてこれを管理する管理部と、を有する請求項６又は７に記載の撮像装置。
【請求項９】
フレーム情報変更削除のためのフレーム操作情報を受付けるフレーム操作情報受付部と、
フレーム操作情報に応じてフレーム情報を変更削除するフレーム情報変更部と、
を有する請求項１から８のいずれか一に記載の撮像装置。
【請求項１０】
選択部は、フレーム情報保持部に保持されているフレーム情報が所定の数よりも多い場合には所定のルールに従って選択可能フレーム表示部に出力するフレーム情報を選択する超過選択手段を有する請求項４から９のいずれか一に記載の撮像装置。
【請求項１１】
フレーム情報取得部は、一のフレームを他のフレームから識別するためのフレーム識別情報を取得する識別フレーム情報取得手段を有する請求項１から１０のいずれか一に記載の撮像装置。
【請求項１２】
撮像部が撮像した画像とフレーム識別情報とを関連付けて記録する記録部を有する請求項１１に記載の撮像装置。
【請求項１３】
各フレームを利用して撮像された画像と関連付けることを目的とした情報である付加情報を取得する付加情報取得部を有し、
記録部は、取得した付加情報をフレーム識別情報と関連付けて記録する付加情報記録手段を有する請求項１２に記載の撮像装置。
【請求項１４】
付加情報に応じ記録された画像を処理する処理部を有する請求項１３に記載の撮像装置。
【請求項１５】
動画像を撮像するための請求項１から１４のいずれか一に記載の撮像装置であって、
焦点部は、一のフレームから他のフレームにスムーズ遷移する遷移手段を有し、
撮像部は、遷移手段によるスムーズ遷移中も動画像を撮像する撮像装置。
【請求項１６】
焦点部は、焦点をあわせるフレームの順番を定める所定のルールにより焦点順位を定める決定手段を有する請求項１５に記載の撮像装置。
【請求項１７】
焦点部は、前記焦点順位を定める所定のルールをユーザ入力に従って生成する焦点順位ルール生成手段を有する請求項１６に記載の撮像装置。
【請求項１８】
ファインダ内の撮像領域を定めるフレーム情報を１以上取得するフレーム情報取得ステップと、
一の撮像ボタン押下をトリガとしてフレーム情報により定められる１以上のフレームのそれぞれに順次撮像焦点をあわせる焦点ステップと、
焦点部により焦点があったタイミングでそれぞれのフレーム内画像を撮像する撮像ステップと、
からなる撮像装置の動作方法。
【請求項１９】
複数の選択可能フレーム情報を保持する撮像装置であって、
保持されている複数のフレーム情報から実際に撮像に利用する利用フレーム情報を選択してフレーム情報取得ステップに出力する選択ステップ、
を有する請求項１８に記載の撮像装置の動作方法。
【請求項２０】
ファインダに表示されている撮像可能領域の画像から人物像を抽出する人物像抽出ステップと、
抽出人物像を撮像するために所定のルールにてフレーム情報を生成する第一生成ステップと、
を有する請求項１８、１９のいずれか一に記載の撮像装置の動作方法。
【請求項２１】
人物像抽出ステップにて人物像が抽出されない場合には他の所定のルールにてフレーム情報を生成する第二生成ステップを有する請求項２０に記載の撮像装置の動作方法。
【請求項２２】
ルールを保持する撮像装置であって、
保持されているルールの追加、変更、削除の入力を受付けてこれを管理する管理ステップを有する請求項１８から２１のいずれか一に記載の撮像装置の動作方法。
【請求項２３】
フレーム情報変更削除のためのフレーム操作情報を受付けるフレーム操作情報受付ステップと、
フレーム操作情報に応じてフレーム情報を変更削除するフレーム情報変更ステップと、
を有する請求項１８から２２のいずれか一に記載の撮像装置の動作方法。
【請求項２４】
撮像ステップが撮像した画像とフレーム識別情報とを関連付けて記録する記録ステップを有する請求項１８から２３のいずれか一に記載の撮像装置の動作方法。
【請求項２５】
付加情報に応じ記録された画像を処理する処理ステップを有する請求項１８から２４のいずれか一に記載の撮像装置の動作方法。
【発明の詳細な説明】
【技術分野】
【０００１】
本発明は、ファインダにより定められた１つの領域の中で任意の位置に任意の形状かつ大きさで１以上の領域を定め、１回の撮像ボタンの押下で前記１以上の領域の静止画を連続撮像などする撮像装置に関する。
【０００２】
また、ファインダにより定められた１つの領域で動画像を撮像中、ファインダにより定められた１つの領域の中で任意に１以上の領域を設定し、撮像画像を前記の任意に定めた領域のいずれかにスムーズに遷移する撮像装置に関する。
【背景技術】
【０００３】
近年、デジタルカメラの普及、及び、デジタルカメラを搭載した携帯電話の普及等に伴い、一般生活の中で静止画像及び動画像を撮像し楽しむ機会が増えている。カメラなどにより静止画像及び動画像を撮像する目的は人それぞれであるが、一般的にはある瞬間の画像を保存しておき、後日それを鑑賞して楽しむことを目的としていると考えられる。このような目的の場合、撮像する者は、ある瞬間の画像を様々な複数の領域で記録することを望むと考えられる。例えば、ある人物がスポーツをしている場面を撮像している者は、その人物の全身像及び背景を撮像しそのときの状況を保存すると同時に、その人物の顔のみを拡大撮像しそのときの表情を保存することを望むと考えられる。しかし、現在一般的に普及しているカメラは、１回の撮像ボタンの押下でファインダにより定められた１つの領域のみを撮像するものであり、前記要求を満たすことはできない。
【０００４】
前記要求を満たす為には、例えば、特許文献１のように、自動電動ズーム機能を付与した電動ズームカメラがある。これは、電動ズーム機構により、ファインダ内の画像をあらかじめ定められた倍率に拡大し、それらを順次撮像していくものである。これにより、１回の撮像ボタンの押下で複数の画像を撮像することが可能となり、ある程度、前記要求は満たされる。しかし、特許文献１の撮像装置だと、倍率や撮像される領域はあらかじめ定められた設定により決まってしまう為、利用者の細かな要求を満たすことはできなかった。また、撮像前には、撮像された画像がどのようなものになるのか利用者は十分に把握することができず、仕上がりと利用者の希望する画像とが異なったものとなることもあった。
【０００５】
その他に前記要求を満たす手段としては、１回の撮像ボタンの押下でファインダにより定められた１つの領域のみを撮像後、その画像をデジタルズームにより好みの領域に切り取って拡大し保存することが考えられる。しかし、デジタルズームだと、その性質上十分鮮明な画像を得ることができず、利用者が十分満足できるものではない。
【特許文献１】特開平２−６８５０８
【発明の開示】
【発明が解決しようとする課題】
【０００６】
そこで、本発明では、ある瞬間における風景を、利用者の希望する複数の画像により、鮮明に撮像することを可能にする撮像装置を提供することを課題とする。また、ファインダ内に表示される１以上のフレームにより、撮像する１以上の画像を撮像前に確認することが可能な撮像装置を提供することを課題とする。さらに、連続撮像した複数の画像を一括管理して、利用者がこれらを編集、保存などする際に利用しやすいものとする撮像装置を提供することを課題とする。
【０００７】
また、本発明では、動画像を撮像中、ファインダ内に表示される画像の中で、１以上のフレームにより他の撮像する画像領域を設定することができる撮像装置を提供することを課題とする。そして、撮像画像をフレームにより定めた画像領域にスムーズに遷移することができる撮像装置を提供することを課題とする。
【課題を解決するための手段】
【０００８】
上記課題を解決するための手段として、以下の発明を提供する。
【０００９】
第一発明では、撮像可能領域の全体を表示するファインダと、ファインダ内の撮像領域を定めるフレーム情報を１以上取得するフレーム情報取得部と、撮像ボタンと、一の撮像ボタン押下をトリガとしてフレーム情報により定められる１以上のフレームのそれぞれに順次撮像焦点をあわせる焦点部と、焦点部により焦点があったタイミングでそれぞれのフレーム内画像を撮像する撮像部と、からなる撮像装置を提供する。
【００１０】
第二発明では、前記第一発明を基本とし、さらに、複数の選択可能フレーム情報を保持するフレーム情報保持部と、保持されている複数のフレーム情報から実際に撮像に利用する利用フレーム情報を選択してフレーム情報取得部に出力する選択部と、を有する撮像装置を提供する。
【００１１】
第三発明では、前記第二発明を基本とし、さらに、フレーム情報保持部が保持する選択可能フレーム情報に基づいてファインダ内に選択可能フレームを表示する選択可能フレーム表示部を有する撮像装置を提供する。
【００１２】
第四発明では、前記第一発明から第三発明のうちの１つを基本とし、さらに、フレーム情報取得部が取得したフレーム情報に基づいてファインダ内で撮像に利用するフレームを表示する利用フレーム表示部を有する撮像装置を提供する。
【００１３】
第五発明では、前記第一発明から第四発明のうちの１つを基本とし、さらに、撮像部は、撮像ボタン押下をトリガとしてファインダ内画像全域をも撮像する全域撮像手段を有する撮像装置を提供する。
【００１４】
第六発明では、前記第一発明から第五発明のうちの１つを基本とし、ファインダに表示されている撮像可能領域の画像から人物像を抽出する人物像抽出部と、抽出人物像を撮像するために所定のルールにてフレーム情報を生成する第一生成部と、を有する撮像装置を提供する。
【００１５】
第七発明では、前記第六発明を基本とし、人物像抽出部にて人物像が抽出されない場合には他の所定のルールにてフレーム情報を生成する第二生成部を有する撮像装置を提供する。
【００１６】
第八発明では、前記第六発明又は第七発明のうちの１つを基本とし、さらに、ルールを保持するルール保持部と、保持されているルールの追加、変更、削除の入力を受付けてこれを管理する管理部と、を有する撮像装置を提供する。
【００１７】
第九発明では、前記第一発明から第八発明のうちの１つを基本とし、さらに、フレーム情報変更削除のためのフレーム操作情報を受付けるフレーム操作情報受付部と、フレーム操作情報に応じてフレーム情報を変更削除するフレーム情報変更部と、を有する撮像装置を提供する。
【００１８】
第十発明では、前記第四発明から第九発明のうちの１つを基本とし、さらに、選択部は、フレーム情報保持部に保持されているフレーム情報が所定の数よりも多い場合には所定のルールに従って選択可能フレーム表示部に出力するフレーム情報を選択する超過選択手段を有する撮像装置を提供する。
【００１９】
第十一発明では、前記第一発明から第十発明のうちの１つを基本とし、さらに、フレーム情報取得部は、一のフレームを他のフレームから識別するためのフレーム識別情報を取得する識別フレーム情報取得手段を有する撮像装置を提供する。
【００２０】
第十二発明では、前記第十一発明を基本とし、さらに、撮像部が撮像した画像とフレーム識別情報とを関連付けて記録する記録部を有する撮像装置を提供する。
【００２１】
第十三発明では、前記第十二発明を基本とし、さらに、各フレームを利用して撮像された画像と関連付けることを目的とした情報である付加情報を取得する付加情報取得部を有し、記録部は、取得した付加情報をフレーム識別情報と関連付けて記録する付加情報記録手段を有する撮像装置を提供する。
【００２２】
第十四発明では、前記第十三発明を基本とし、さらに、付加情報に応じ記録された画像を処理する処理部を有する撮像装置を提供する。
【００２３】
第十五発明では、前記第一発明から第十四発明のうちの１つを基本とし、さらに、焦点部は、一のフレームから他のフレームにスムーズ遷移する遷移手段を有し、撮像部は、遷移手段によるスムーズ遷移中も動画像を撮像する撮像装置を提供する。
【００２４】
第十六発明では、前記第十五発明を基本とし、さらに、焦点部は、焦点をあわせるフレームの順番を定める所定のルールにより焦点順位を定める決定手段を有する撮像装置を提供する。
【００２５】
第十七発明では、前記第十六発明を基本とし、さらに、焦点部は、前記焦点順位を定める所定のルールをユーザ入力に従って生成する焦点順位ルール生成手段を有する撮像装置を提供する。
【００２６】
第十八発明では、撮像可能領域の全体を表示するファインダと撮像ボタンを有する撮像装置であって、ファインダ内の撮像領域を定めるフレーム情報を１以上取得するフレーム情報取得ステップと、一の撮像ボタン押下をトリガとしてフレーム情報により定められる１以上のフレームのそれぞれに順次撮像焦点をあわせる焦点ステップと、焦点部により焦点があったタイミングでそれぞれのフレーム内画像を撮像する撮像ステップと、からなる撮像装置の動作方法を提供する。
【００２７】
第十九発明では、前記第十八発明を基本とし、さらに、複数の選択可能フレーム情報を保持する撮像装置であって、保持されている複数のフレーム情報から実際に撮像に利用する利用フレーム情報を選択してフレーム情報取得ステップに出力する選択ステップを有する撮像装置の動作方法を提供する。
【００２８】
第二十発明では、前記第十八発明又は第十九発明のうちの１つを基本とし、さらに、ファインダに表示されている撮像可能領域の画像から人物像を抽出する人物像抽出ステップと、抽出人物像を撮像するために所定のルールにてフレーム情報を生成する第一生成ステップと、を有する撮像装置の動作方法を提供する。
【００２９】
第二十一発明では、前記第二十発明を基本とし、さらに、人物像抽出ステップにて人物像が抽出されない場合には他の所定のルールにてフレーム情報を生成する第二生成ステップを有する撮像装置の動作方法を提供する。
【００３０】
第二十二発明では、前記第十八発明から第二十一発明のうちの１つを基本とし、さらに、ルールを保持する撮像装置であって、保持されているルールの追加、変更、削除の入力を受付けてこれを管理する管理ステップを有する撮像装置の動作方法を提供する。
【００３１】
第二十三発明では、前記第十八から第二十二発明のうちの１つを基本とし、さらに、フレーム情報変更削除のためのフレーム操作情報を受付けるフレーム操作情報受付ステップと、フレーム操作情報に応じてフレーム情報を変更削除するフレーム情報変更ステップと、
を有する撮像装置の動作方法を提供する
【００３２】
第二十四発明では、前記第十八発明から第二十三発明のうちの１つを基本とし、さらに、撮像ステップが撮像した画像とフレーム識別情報とを関連付けて記録する記録ステップを有する撮像装置の動作方法を提供する。
【００３３】
第二十五発明では、前記第十八発明から第二十四発明のうちの１つを基本とし、さらに、付加情報に応じ記録された画像を処理する処理ステップを有する撮像装置の動作方法を提供する。
【発明の効果】
【００３４】
本発明の撮像装置により、利用者は、ある瞬間における風景を、利用者の希望する１以上の領域により、鮮明に連続撮像などすることが可能になる。また、連続撮像する画像は、ファインダ内に設けられた複数のフレームを確認しながら自由に定めることが可能となり、撮像後に撮像した画像が希望している画像と異なっているという不都合を回避できる。
【００３５】
さらに、本発明の撮像装置により、動画像を撮像中、ファインダ内に表示される複数のフレームにより他の撮像領域を設定することができ、そして、撮像画像をフレームにより定めた撮像領域にスムーズに遷移することができる。
【発明を実施するための最良の形態】
【００３６】
本発明を実施するための最良の形態について、図面を用いて詳細に説明する。なお、本発明はこれら実施の形態になんら限定されるものではなく、その要旨を逸脱しない範囲において種々なる態様で実施しうる。
なお、以下の実施形態と請求項の関係は次のとおりである。実施形態１は主として請求項１、１８などについて説明する。実施形態２は主として請求項２、１９などについて説明する。実施形態３は主として請求項３などについて説明する。実施形態４は主として請求項４などについて説明する。実施形態５は主として請求項５などについて説明する。実施形態６は主として請求項６、２０などについて説明する。実施形態７は主として請求項７、２１などについて説明する。実施形態８は主として請求項８、２２などについて説明する。実施形態９は主として請求項９、２３などについて説明する。実施形態１０は主として請求項１０などについて説明する。実施形態１１は主として請求項１１などについて説明する。実施形態１２は主として請求項１２、２４などについて説明する。実施形態１３は主として請求項１３などについて説明する。実施形態１４は主として請求項１４、２５などについて説明する。実施形態１５は主として請求項１５などについて説明する。実施形態１６は主として請求項１６などについて説明する。実施形態１７は請求項１７などについえ説明する。
<<実施形態１>>
<実施形態１の概要>
【００３７】
本実施形態の撮像装置は、ファインダ内に表示される画像の中で、１以上の撮像する画像領域を定め、１回の撮像ボタンの押下でこれらを連続撮像などする機能を有することを特徴とする。
【００３８】
図１の概念図は、本実施形態の撮像装置により連続撮像した効果の一例を示す概念図である。図に示すように、２人の人物と２本の木が撮像装置のファインダに表示されている（図１−Ａ）。その後、利用者がファインダ内に表示される画像の中で、２人の人物のみを撮像する領域をカーソルにより定めている（図１−Ｂ）。すると、画面上に「フレームの領域を撮像しますか？『ＹＥＳ』or『NO』」の案内が表示される（図１−Ｃ）。ここで、利用者はいずれかを選択する必要があるが、図の場合、利用者は『ＹＥＳ』を選択している。すると、フレームの位置、大きさなどを示す情報が撮像装置内に一時保存され、ファインダ内のフレームは消える（図１−Ｄ）。
【００３９】
利用者は、ファインダ内に表示される画像の中で、その他に撮像したい領域が存在する場合は、前記と同様にカーソルで撮像する領域を定める。図の場合、この後に、２人の人物と２本の木を撮像する領域と、２人の人物のそれぞれの顔を撮像する領域を定めて、撮像するよう選択する（図示せず）。
【００４０】
そして、利用者が撮像ボタンを１回押下すると、撮像装置は一時保存したフレームの情報に従い、利用者が定めた領域を光学ズーム、又は、デジタルズームなどにより拡大するなどして連続撮像する。その結果、複数のパターンの写真が撮像される（図１−Ｅ）。
<実施形態１の機能的構成>
【００４１】
図２は、本実施形態の撮像装置の機能ブロックの一例を表す図である。この図にあるように本実施例の「撮像装置」（０２００）は、「ファインダ」（０２０１）と、「フレーム情報取得部」（０２０２）と、「撮像ボタン」（０２０３）と、「焦点部」（０２０４）と、「撮像部」（０２０５）を有する。「撮像装置」（０２００）としては、デジタルカメラを搭載した携帯電話や一般的デジタルカメラなどが挙げられる。
【００４２】
以下、本実施形態の「ファインダ」（０２０１）と、「フレーム情報取得部」（０２０２）と、「撮像ボタン」（０２０３）と、「焦点部」（０２０４）と、「撮像部」（０２０５）との構成について説明する。
【００４３】
「ファインダ」（０２０１）は、撮像可能領域の全体を表示するよう構成されている。「撮像可能領域」とは、撮像ボタン（０２０３）の押下により、後述する撮像部（０２０５）で撮像することが可能な画像を映し出している領域である。ここで、一般的な撮像装置は、撮像ボタン（０２０３）を押下するとファインダ全体に表示された領域を撮像する。しかし、本実施形態の撮像装置は、ファインダ全体に表示された領域を撮像できるだけでなく、ファインダ全体に表示された領域の中で、フレームなどにより１以上の撮像する領域を定め、これらを連続撮像などするものである。すなわち、撮像可能領域とは、フレームなどにより撮像する領域を定めることが可能な領域である。
【００４４】
ここで、ファインダとしては、特段制限されず、液晶ファインダや、電子ヴューファインダなどいかなるものでもよい。
【００４５】
「フレーム情報取得部」（０２０２）は、ファインダ（０２０１）内で撮像領域を定めるフレーム情報を１以上取得するよう構成されている。そして、フレーム情報取得部（０２０２）が取得したフレーム情報は、後述する焦点部（０２０４）や撮像部（０２０５）で実際に撮像に利用される。「フレーム情報」とは、例えば、フレームの形状を示す情報、フレームの大きさを示す情報、ファインダ内での位置を示す情報などである。フレームの形状を示す情報としては、例えば、長方形、正方形、円、楕円などの各種形状が考えられる。フレームの大きさを示す情報としては、フレームの形状が長方形の場合は、縦横の長さ（「縦×横＝２００×４００ピクセル」）などが考えられる。また、フレームの形状が円の場合は、半径の長さ（「半径＝２００ピクセル」）などが考えられる。ファインダ内での位置を示す情報としては、フレームの中心点の座標などが考えられる。例えば、「（Ｘ，Ｙ）＝（３００，８００）」などである。ここで、フレーム情報取得部（０２０２）が取得するフレーム情報は、ファインダ内での撮像領域を特定するための要素（位置、大きさ、形状など）をすべて含んでいる情報であってもよいし、または、ファインダ内での撮像領域を特定するための要素（位置、大きさ、形状など）をすべては含んでいない情報であってもよい。
【００４６】
フレーム情報取得部（０２０２）が取得したフレーム情報が、ファインダ内での撮像領域を特定するための要素（位置、大きさ、形状など）をすべて含んでいる場合、フレーム情報取得部（０２０２）は、そのフレーム情報をそのまま後述する焦点部（０２０４）に渡すよう構成されている。
【００４７】
一方、フレーム情報取得部（０２０２）が取得したフレーム情報が、ファインダ内での撮像領域を特定するための要素（位置、大きさ、形状など）をすべては含んでいない場合、利用者の入力などにより不足している要素を補充した後に、後述する焦点部（０２０４）に渡すよう構成されている。例えば、利用者がファインダ内で撮像領域を定める際に頻繁に使用するフレームの形状と大きさがある場合、本撮像装置（０２００）はそのフレームの形状と大きさを示すフレーム情報を保存することができる。そして、フレーム情報取得部（０２０２）は、保存しているフレーム情報を取得するよう構成されている。また、フレーム情報取得部（０２０２）は、利用者が十字キーなどにより前記フレームを定める位置を入力すると、その位置を示すフレーム情報を取得するよう構成されており、保存しておいたフレーム情報に、新たに取得した位置を示すフレーム情報を補充して焦点部（０２０４）に渡すよう構成されている。
【００４８】
フレーム情報取得部（０２０２）が、フレーム情報を取得する手段としては特段制限されない。例えば、フレーム情報取得部（０２０２）は、利用者が入力したフレーム情報を取得するよう構成されている。ここで、利用者がフレーム情報を入力する手段としては、各種手段が考えられる。例えば、入力操作キーなどを操作してファインダ内にメニュー画面を呼び出し、メニュー画面の案内に従ってフレームの形状、位置、大きさなどを入力できてもよい。または、ファインダ内に表示されるカーソルを利用し、入力操作キーを半押ししながら十字キーを操作するなどして、ファインダ内にフレームを描き、又は、タッチパネル機能を利用し、利用者が自己の指や指示棒などで、ファインダ内にフレームを直接描き、そのグラフィック情報を解釈してフレーム情報を得てもよい。
【００４９】
フレーム情報を取得するその他の手段としては、フレーム情報取得部（０２０２）は、撮像装置（０２００）内に保存されているフレーム情報を取得するよう構成されていてもよい。保存されているフレーム情報とは、撮像装置（０２００）が工場から出荷された段階からあらかじめ保存されているフレーム情報や、利用者が入力し保存されているフレーム情報、さらには、ＳＤカードや通信回路などから取得して保存されているフレーム情報などが考えられる。あらかじめ保存されているフレーム情報として、例えば、ファインダ内いっぱいを占める１つの大きなハートで撮像領域を定めたフレーム情報や、ファインダ内に２つの円を横一列に並べて撮像領域を定めたフレーム情報など各種情報が考えられる。
【００５０】
「撮像ボタン」（０２０３）は、撮像装置の外部に設けられたボタン等である。利用者は、ファインダ（０２０１）を確認しながら、撮像装置を操作して撮像領域を決定する。そして、撮像領域が決定すると、撮像ボタン（０２０３）を押下する。すると、以下で説明する焦点部（０２０４）でフレーム情報により定められる１以上の領域に焦点をあわせる。
【００５１】
「焦点部」（０２０４）は、１回の撮像ボタン（０２０３）の押下をトリガとして、フレーム情報により定められる１以上のフレームのそれぞれに、指定されたフレーム内のデータを利用したオートフォーカス機能などにより焦点をあわせるよう構成されている。
【００５２】
焦点部（０２０４）が、１以上のフレームに順次焦点をあわせる順番は特段制限されない。例えば、焦点部（０２０４）は、利用者がフレーム情報を入力した順番に焦点をあわせるよう構成されている。または、ファインダ内での位置が、左側にあるフレームから右側にあるフレームに向かって順番に焦点をあわせるよう構成されている。さらには、拡大して撮像する場合には、拡大率の小さいフレームから順番に焦点をあわせるよう構成されている。また、焦点部（０２０４）が順次焦点をあわせるタイミングとしては以下のようなタイミングが考えられる。例えば、焦点部（０２０４）は、後述する撮像部（０２０５）から撮像が終了したことを示す信号を受けとるよう構成されており、その信号をトリガに、別のフレームに焦点をあわせるよう構成されている。または、焦点部（０２０４）は、一定時間（例えば０．５秒）経過後、別のフレームに焦点をあわせるよう構成されている。
【００５３】
また、焦点部（０２０４）は、光学ズームやデジタルズームなどで拡大縮小などして焦点をあわせるよう構成されている。
【００５４】
「撮像部」（０２０５）は、焦点部（０２０４）での焦点があったタイミングでそれぞれのフレーム内画像を撮像するよう構成されている。撮像部（０２０５）が、焦点部（０２０４）での焦点があったタイミングを認識する手段としては特段制限されず、例えば、撮像部（０２０５）は、焦点部（０２０４）より焦点があったことを示す信号を受けとるよう構成されている。そして、その信号をトリガにフレーム内画像を撮像するよう構成されている。ここで、撮像部（０２０５）が「フレーム内画像」を撮像する手段としては以下のような手段が考えられる。例えば、撮像部（０２０５）は、ファインダ内全域すべての映像信号を受けとるよう構成されている。そして、その映像信号の中から、フレーム情報で定められる撮像領域の映像信号のみを抽出し、「フレーム内画像」を撮像するよう構成されている。また、その他の手段としては、撮像部（０２０５）は、ファインダ内全域の映像信号のうち、フレーム情報で定められる撮像領域の映像信号のみを受けとるよう構成されており、取得した映像信号すべてを利用して「フレーム内画像」を撮像するよう構成されている。なお、撮像部（０２０５）がＣＣＤイメージセンサやＣＭＯＳイメージセンサなど、どのようなハードウエアであるかは設計事項である。
<実施形態１のハードウェア構成>
【００５５】
図３に、本実施形態における撮像装置を実現するためのハードウェア構成の一例を示す。本撮像装置（０３００）は、主としてＣＰＵ（０３０１）、揮発性メモリ（０３０２）、不揮発性メモリ（０３０３）、ＨＤＤ（０３０４）、ディスプレイ（０３０５）、ユーザインターフェイス（０３０６）、撮像ボタン（０３０７）、グラフィカルポインタ（０３０８）、Ｉ／Ｏ（０３０９）、映像信号出力回路（０３１０）、ＣＣＤ（０３１１）、オートフォーカス駆動開路（０３１２）、通信回路（０３１３）、可搬型メディアインターフェイス（０３１４）、可搬型メディア（０３１５）、これらを繋ぐシステムバス（０３１６）などからなる。
【００５６】
本実施形態の撮像装置のファインダ（０２０１）は、ディスプレイ（０３０５）などからなる。また、フレーム情報保持部（０２０２）は、不揮発性メモリ（０３０３）などからなる。また、焦点部（０２０４）は、ＣＰＵ（０３０１）、揮発性メモリ（０３０２）、不揮発性メモリ（０３０３）、オートフォーカス駆動回路（０３１２）などからなる。また、撮像部（０２０５）は、ＣＰＵ（０３０１）、揮発性メモリ（０３０２）、ＣＣＤ（０３１１）、映像信号出力回路（０３１０）などからなる。
<実施形態１の具体例>
【００５７】
以下に、上記ハードウェア構成からなる撮像装置の具体的な動作の一例を説明する。
【００５８】
まず、利用者が撮像装置の入力操作キー（図示せず）を操作して撮像用モードに切替える。すると、ＣＰＵ（０３０１）は、ディスプレイ（０３０５）上に、撮像可能な画像（モニター画像）を映し出す。これは、ＣＣＤ（０３１１）から取得した映像信号を映像信号出力回路（０３１０）でデジタル信号に変換し、当該信号を利用してディスプレイ上に画像を映し出すことで実現する。
【００５９】
次に、利用者により入力されたフレーム情報を一時揮発性メモリ（０３０２）に保存する。利用者が複数のフレーム情報を入力後、撮像ボタンを１回押下する。すると、ＣＰＵ（０３０１）は、揮発性メモリ（０３０２）に保存しているフレーム情報を１つ取り出し、現在の焦点位置及び範囲を示す情報と前記フレーム情報との差異を演算処理する。そして、その結果に基づいて焦点をあわすようオートフォーカス駆動回路（０３１２）に指示を出す。オートフォーカス駆動回路（０３１２）で焦点をあわせると、その後、ＣＣＤ（０３１１）より映像信号を取得し、映像信号出力回路（０３１０）でデジタル信号に変換する。そして、フレーム情報で特定される領域の映像信号のみを取り出して、映像ファイルとしＨＤＤ（０３０４）または、不揮発性メモリ（０３０３）に保存する。
【００６０】
その後、連続的に複数のフレームの映像を撮像するために次のフレーム情報があるか探索する処理をする。具体的には、ＣＰＵ（０３０１）は、揮発性メモリ（０３０２）に撮像に利用していない他のフレーム情報があるか確認する。撮像に利用していない他のフレーム情報が残っていない場合は、ＣＰＵ（０３０１）は処理を終了する。一方、撮像に利用していない他のフレーム情報が残っている場合は、ＣＰＵ（０３０１）は他のフレーム情報から１つのフレーム情報を選択してそれを取り出し、現在の焦点位置及び範囲を示す情報との差異を演算処理する。
【００６１】
そして、その結果に基づいて焦点をあわすようオートフォーカス駆動回路（０３１２）に指示を出す。オートフォーカス駆動回路（０３１２）で焦点をあわせると、その後、ＣＣＤ（０３１１）より映像信号を取得し、映像信号出力回路（０３１０）でデジタル信号に変換し、ファイル化して、ＨＤＤ（０３０４）または、不揮発性メモリ（０３０３）に保存する。その後、次のフレーム情報があるか前記と同様の処理を繰り返す。
【００６２】
ＣＰＵ（０３０１）は、未利用のフレーム情報がなくなるまで前記処理を繰り返し、未利用のフレーム情報がなくなると処理を終了する。ここまでの処理が撮像ボタンに対する利用者のワンアクションによって連続的に実行される。ワンアクションとは１回のシャッターの押し下げ、１回の半押し下げと、それに引き続く完全押し下げなどをいう。
【００６３】
なお、上記ハードウェア構成は一例を示すものであり、上記以外のハードウェアにて本電子機器を構成しても良い。この場合には、各ハードウェア構成における処理は上記処理に限られない。
<実施形態１の処理の流れ>
【００６４】
本実施形態の処理の流れの一例を図４のフローチャートに示す。
【００６５】
撮像装置の操作を受付けて撮像用モード切替信号を取得し、これに応じて撮像用モードに切替える（Ｓ０４０１、Ｓ０４０２：撮像用モード切替ステップ）。
【００６６】
撮像する領域を定めた１以上のフレーム情報を取得する（Ｓ０４０３：フレーム情報取得ステップ）。
【００６７】
撮像ボタンの１回押下信号を検知する（Ｓ０４０４：１回押下信号検知ステップ）。
【００６８】
当該撮像ボタン押下信号をトリガに、フレーム情報取得ステップにて取得された１以上のフレーム情報の中から１つのフレーム情報を選択して、選択したフレーム情報に従って撮像焦点をあわせる（Ｓ０４０５：合焦ステップ）。
【００６９】
合焦ステップでの撮像焦点があった旨を示す信号を取得すると撮像領域の画像を撮像し、映像信号に変換し、ファイルとして記憶する（Ｓ０４０６：撮像ステップ）。
【００７０】
その後、フレーム情報取得ステップにて取得されたフレーム情報の中に、未だ撮像に利用されていないフレーム情報があるか判断する（Ｓ０４０７：判断ステップ）。判断の結果、いまだに撮像に利用されていないフレーム情報がある場合にはその未利用のフレーム情報を用いて撮像焦点をあわせるための処理が合焦ステップに戻って行なわれ（Ｓ０４０５）、判断の結果が、既に撮像に全てのフレーム情報が利用されているとの判断結果である場合には撮像処理を終了する。その後次の撮像ボタンの押下があるまで待機する。撮像モードから他のモードへ切替えがなされた場合には、待機処理を終了する。
<実施形態１の効果>
【００７１】
本実施形態の撮像装置により、ファインダにより定められた１つの領域の中で、１以上の撮像する領域をフレームなどにより定めることができる。そして、１回の撮像ボタンの押下で、前記１以上の領域を光学ズームなどで拡大するなどして連続撮像することができる。
【００７２】
これらの機能により、ある瞬間の風景を、利用者の希望する様々な１以上の領域により撮像して保存することが可能である。
<<実施形態２>>
<実施形態２の概要>
【００７３】
本実施形態の撮像装置は、実施形態１の撮像装置を基本とし、さらに、撮像装置自身に複数のフレーム情報が保持可能である。さらに、保持されている複数のフレーム情報の中から撮像に利用する一部のフレーム情報を選択可能である。
【００７４】
図５の概念図は、本実施形態の撮像装置により連続撮像した効果の一例を示す概念図である。図に示すように、２人の人物と２匹の犬が撮像装置のファインダに表示されている（図５−Ａ）。その後、利用者が操作ボタンなどを操作して、「フレーム選択画面」を呼び出し、ハート型フレームを選択する（図５−Ｂ）。そして、ハート型フレームを表示する位置として、カーソルで２人の人物の中心付近を選択すると（図５−Ｃ）、２人の人物を撮像する領域を定めたハートのフレームが表示される（図５−Ｄ）。
【００７５】
すると、画面上に「フレームの領域を撮像しますか？『ＹＥＳ』or『NO』」の案内が表示される（図５−Ｅ）。ここで、利用者はいずれかを選択する。図の場合、利用者は『ＹＥＳ』を選択する。すると、フレームの情報が撮像装置内に一時保存され、ファインダ内のフレームが消える（図示せず）。
【００７６】
利用者は、ファインダ内に表示される画像の中で、その他に撮像したい画像領域が存在する場合は、前記と同様にして撮像する領域を定める。図の場合は、ハート型フレームで、２匹の犬を撮像する領域を定め、フレームの情報が保存されている（図示せず）。
【００７７】
その後、利用者が撮像ボタンを１回押下すると、撮像装置は一時保存したフレームの情報に従い、利用者が定めた領域を光学ズーム、又は、デジタルズームなどにより拡大するなどして連続撮像する。その結果、複数のパターンの写真が撮像される（図５−Ｆ）。
<実施形態２の機能的構成>
【００７８】
図６は、本実施形態の撮像装置の機能ブロックの一例を表す図である。この図にあるように、本実施例の「撮像装置」（０６００）の機能ブロックは、実施形態１の撮像装置（図２）を基本とし、さらに「フレーム情報保持部」（０６０７）と、「選択部」（０６０８）とを有する。
すなわち、本実施例の「撮像装置」（０６００）は、「ファインダ」（０６０１）と、「フレーム情報取得部」（０６０２）と、「撮像ボタン」（０６０３）と、「焦点部」（０６０４）と、「撮像部」（０６０５）と、「フレーム情報保持部」（０６０７）と、「選択部」（０６０８）とを有する。「撮像装置」（０６００）としては、デジタルカメラを搭載した携帯電話や一般的デジタルカメラなどが挙げられる。
【００７９】
以下、本実施形態の「フレーム情報取得部」（０６０２）と、「フレーム情報保持部」（０６０７）と、「選択部」（０６０８）の構成について説明する。尚、その他の構成については、実施形態１と同様であるのでここでの詳細な説明は省略する。
【００８０】
「フレーム情報保持部」（０６０７）は、複数の選択可能フレーム情報を保持するよう構成されている。「選択可能フレーム情報」とは、ファインダ内で撮像する領域を定める際に選択可能なフレーム情報である。ここで、フレーム情報保持部（０６０７）が保持しているフレーム情報は、各種形状（例えば、丸形、三角形、四角形、星形など）の各種大きさのフレームを定めるものであるが、フレーム情報保持部（０６０７）は、これらのフレーム情報を大きさ別、又は、形状別などに取り出せるように保持するよう構成されていてもよい。かかる場合、利用者がファインダ内に表示されている人物の顔をアップで撮像するために適当な大きさ（例えば、幅１００ピクセル）のフレームを呼び出した際、それに該当する各種形状（例えば、直径１００ピクセルの円や一辺の長さが１００ピクセルの正方形など）のフレーム情報が取り出され利用することが可能になる。
【００８１】
ここで、フレーム情報保持部（０６０７）が、フレーム情報を取得し保持する手段としては各種手段が考えられる。例えば、フレーム情報保持部（０６０７）は、撮像装置（０６００）が工場から出荷された段階からフレーム情報を保持しておくよう構成されている。または、利用者がフレーム情報を入力し、それを取得して保持するよう構成されている。さらには、ＳＤカードなどの可搬型メディアから取得したり、通信回路を利用して外部サーバ装置やホームページ、自宅のホームサーバ装置、他の同種の撮像装置などから取得して保持するよう構成されている。
【００８２】
「選択部」（０６０８）は、保持されている複数のフレーム情報から実際に撮像に利用するフレーム情報を選択してフレーム情報取得部（０６０２）に出力するよう構成されている。ここで、選択部（０６０８）が実際に撮像に利用するフレームを選択する手段としては以下のような手段が考えられる。例えば、選択部（０６０８）は利用者が入力した選択を識別できる。そして、利用者の選択に従ってフレーム情報を選択し、フレーム情報取得部（０６０２）に出力するよう構成されている。または、選択部（０６０８）は、あるルールに従いフレーム情報を選択するよう構成されている。ルールの具体例としては「最も利用頻度が少ないフレーム情報を選択する」とのルールや、「所定の順番でフレーム情報を順繰りに利用する」とのルールや、「フレーム情報でファインダから切り出される画像面積（ピクセル数）が大きい順に利用フレーム情報を選択する」とのルールや、「乱数を発生させてその乱数に従ってランダムにフレーム情報を選択する」とのルールなどを挙げられる。
【００８３】
「フレーム情報取得部」（０６０２）は、実施形態１での構成を基本とし、さらに、選択部（０６０８）からフレーム情報を取得するように構成されている。
<実施形態２のハードウェア構成>
【００８４】
本実施形態における撮像装置を実現するためのハードウェア構成は、すでに示した図３と同様である。
【００８５】
フレーム情報保持部（０６０７）は、不揮発性メモリ（０３０３）などからなる。また、選択部（０６０８）は、ＣＰＵ（０３０１）、揮発性メモリ（０３０２）、ユーザインターフェイス（０３０６）、グラフィカルポインタ（０３０８）などからなる。
<実施形態２の具体例>
【００８６】
以下に、上記ハードウェア構成からなる撮像装置がフレーム情報保持部からフレーム情報を取得する具体的な動作の一例を説明する。
【００８７】
ＣＰＵ（０３０１）は、不揮発性メモリ（０３０３）に保存されている複数のフレーム情報の中から、利用者が、実際に撮像に利用するよう選択し、入力したフレームのフレーム情報を取り出す。そして、それを揮発性メモリ（０３０２）に一時保存し、焦点をあわすのに利用したりする。
【００８８】
なお、上記ハードウェア構成は一例を示すものであり、上記以外のハードウェアにて本電子機器を構成しても良い。この場合には、各ハードウェア構成における処理は上記処理に限られない。
<実施形態２の処理の流れ>
【００８９】
本実施形態の処理の流れの一例を図７のフローチャートに示す。
【００９０】
まず、撮像用モードに切替える信号を取得し、これに応じて撮像用モードに切替える（Ｓ０７０１、Ｓ０７０２：撮像用モード切替ステップ）。
【００９１】
次に、選択ステップで、保持しているフレーム情報の中から実際に撮像に利用されるフレーム情報を選択する（Ｓ０７０３：フレーム情報選択ステップ）。そして、フレーム情報選択ステップにて選択されたフレーム情報を取得する（Ｓ０７０４：フレーム情報取得ステップ）。
【００９２】
その後、撮像ボタンの１回押下信号を検知する（Ｓ０７０５：１回押下信号検知ステップ）と、これをトリガに、焦点ステップにおいて、選択されたフレーム情報の中の１つのフレーム情報に従って撮像焦点をあわせる（Ｓ０７０６：合焦ステップ）。１つのフレーム情報に従って撮像焦点があったら、撮像領域の画像を撮像する（Ｓ０７０７：撮像ステップ）。
【００９３】
その後、未だ撮像に利用されていないフレーム情報があるか判断する（Ｓ０７０８：判断ステップ）。判断ステップでの判断の結果、いまだに撮像に利用されていないフレーム情報があるとの判断結果である場合には、その未利用のフレーム情報に従って撮像焦点をあわせ（Ｓ０７０６：合焦ステップ）、当該撮像領域の画像を撮像する（Ｓ０７０７：撮像ステップ）。これを、未利用のフレーム情報がなくなるまで繰り返す。
<実施形態２の効果>
【００９４】
本実施形態の撮像装置では、複数のフレーム情報を予め保持しているのでフレーム情報を手入力する手間が省ける。また複数の中から実際に利用するフレーム情報を選択できるので風景や、場面に応じてなかから最適なフレーム情報を選択することができる。
<<実施形態３>>
<実施形態３の概要>
【００９５】
本実施形態の撮像装置は、実施形態２の撮像装置を基本とし、さらに、ファインダ内に１以上のフレームを表示することができる。これにより、利用者は当該フレームを確認しながら撮像する領域を決定することができる。
【００９６】
図８の概念図は、本実施形態の撮像装置により連続撮像した効果の一例を示す概念図である。図８−Ａに示すように、２人の人物と２本の木が撮像装置のファインダに表示されている。そして、ファインダ内に、２本の木を撮像する領域を定めた１つのフレームと、２人の人物のみを撮像する領域を定めた１つのフレームが表示されている。これら２つのフレームは、利用者の操作により、又は、撮像装置の有するオート機能により定められている。さらに、画面の左下に、数字の「０」が表示されている。この数字は、利用者が撮像するよう選択したフレームの数を示すものである。
【００９７】
その後、利用者がカーソルなどにより２人の人物のみを撮像する領域を定めた１つのフレームを選択すると（図８−Ｂ）、画面上に「フレームの領域を撮像しますか？『ＹＥＳ』or『NO』」の案内が表示される（図８−Ｃ）。ここで、利用者はいずれかを選択する。図の場合、利用者は『ＹＥＳ』を選択する。すると、選択されたフレームは画面上から消え、そして、画面の左下に表示されている数字が「０」から「１」に変わる（図８−Ｄ）。これは、利用者が撮像を行うよう、１つのフレームを選択したことを示している。この後、利用者が撮像ボタンを１回押下すると、撮像装置は、利用者が定めた１つの領域を光学ズーム、又は、デジタルズームなどにより拡大するなどして連続撮像する。その結果、１つのパターンの写真が撮像される（図８−Ｅ）。
<実施形態３の機能的構成>
【００９８】
図９は、本実施形態の撮像装置の機能ブロックの一例を表す図である。この図にあるように、本実施例の「撮像装置」（０９００）の機能ブロックは、実施形態２の撮像装置（図６）を基本とし、さらに「選択可能フレーム表示部」（０９０９）を有する。
すなわち、本実施例の「撮像装置」（０９００）は、「ファインダ」（０９０１）と、「フレーム情報取得部」（０９０２）と、「撮像ボタン」（０９０３）と、「焦点部」（０９０４）と、「撮像部」（０９０５）と、「フレーム情報保持部」（０９０７）と、「選択部」（０９０８）と、「選択可能フレーム表示部」（０９０９）を有する。「撮像装置」（０９００）としては、デジタルカメラを搭載した携帯電話や一般的デジタルカメラ等が挙げられる。
【００９９】
以下、本実施形態の「ファインダ」（０９０１）と、「選択可能フレーム表示部」（０９０９）の構成について説明する。尚、その他の構成については、実施形態２と同様であるので、ここでの詳細な説明は省略する。
【０１００】
「ファインダ」（０９０１）は、実施形態２の構成を基本とし、さらに、以下で説明する選択可能フレーム表示部（０９０９）の機能により、フレームを表示するよう構成されている。
【０１０１】
「選択可能フレーム表示部」（０９０９）は、フレーム情報保持部（０９０７）が保持する選択可能フレーム情報に基づいてファインダ内に選択可能フレームを表示するよう構成されている。ここで、「選択可能フレーム」とは、実際に撮像するフレームとして選択することが可能なフレームである。すなわち、利用者はファインダ内に表示された１以上のフレームで撮像領域を確認し、それぞれの画像を撮像するか選択することができる。
【０１０２】
なお、選択可能フレーム表示部（０９０９）は、選択可能フレームをファインダ（０９０１）内に複数表示できるよう構成されていてもよい。かかる場合、複数のフレームがファインダ（０９０１）内で錯綜し、利用者がそれぞれを識別できなくなる可能性がある。そこで、選択可能フレーム表示部（０９０９）は、ファインダ（０９０１）内に表示される複数のフレームを、利用者が容易に識別できるように表示することができるよう構成されている。その手段としては、例えば、それぞれのフレームの色を変えて表示してもよい。または、それぞれのフレームの中心部に番号を表示するようにしてもよい。または、アイコンなどによりファインダ内の１つのフレームを選択すると、当該フレームが点滅するよう構成されていてもよい。さらには、アイコンなどによりファインダ内の１つのフレームを選択すると、当該フレームにより定められる領域以外は半透明の膜がかかって画像が不鮮明となり、当該フレームにより定められた領域のみの画像が鮮明に表示されるようにしてもよい。
【０１０３】
ここで、ファインダ内に表示された１以上のフレームの内、利用者が撮像するよう選択したフレームは選択済みのフレームとなる。かかる場合、選択済みのフレームにより定められる画像は実際に撮像され、選択されていないフレームにより定められる画像は撮像されない。それにも関わらず、ファインダ内で、選択可能フレームと選択済みのフレームが同時に同じように表示されていると、利用者はいずれのフレームを選択したのか忘れてしまい、混乱を生じる可能性がある。そこで、選択可能フレーム表示部（０９０９）は、選択可能フレームと選択済みのフレームを識別できるように表示するよう構成されていてもよい。その手段としては各種手段が挙げられる。例えば、選択可能フレーム表示部（０９０９）は、選択可能フレームと選択済みのフレームの色を変えて表示するよう構成されている。または、選択可能フレーム表示部（０９０９）は、選択済みのフレームをファインダ内から消滅させるよう構成されている。
<実施形態３のハードウェア構成>
【０１０４】
本実施形態における撮像装置を実現するためのハードウェア構成は、すでに示した図３と同様である。
<実施形態３の具体例>
【０１０５】
以下に、上記ハードウェア構成からなる撮像装置の具体的な動作の一例を説明する。
【０１０６】
選択可能フレーム表示部（０９０９）は、ＣＰＵ（０３０１）、揮発性メモリ（０３０２）などからなる。撮像に利用可能なフレームの領域をＣＣＤの画素単位で識別するための情報がフレーム情報に基づいて生成される。例えばフレームが矩形のフレームである場合にはファインダ内でそのフレーム左上の頂点座標と、そのフレーム右下の頂点座標とを示す識別情報をフレーム情報に基づいて生成し、この２つの座標によって形成される矩形領域を示す線分を所定の計算式に基づいて計算する。そして、その計算結果に基づいて矩形領域を表示するための線画情報を生成し、ファインダの画像を処理しているビデオメモリ（揮発性メモリ）に重ね書きするように書き込む。ビデオメモリへの書き込みによってフレーム情報がフレームとしてファインダ内に表示される。この段階でそのフレームによって区画される矩形領域が前記計算結果などに基づいてＣＣＤ画素単位で識別され、実際に撮像に利用されるフレームと確定することで撮像時のＣＣＤからの信号の選別に利用される。
【０１０７】
なお、上記ハードウェア構成は一例を示すものであり、上記以外のハードウェアにて本電子機器を構成しても良い。この場合には、各ハードウェア構成における処理は上記処理に限られない。
<実施形態３の処理の流れ>
【０１０８】
本実施形態の処理の流れの一例を図１０のフローチャートに示す。
【０１０９】
まず、撮像用モードに切替える信号を取得し、これに応じて撮像用モードに切替える（Ｓ１００１、Ｓ１００２：撮像用モード切替ステップ）。
【０１１０】
次に、ファインダ内に選択可能フレームを表示する（Ｓ１００３：選択可能フレーム表示ステップ）。その後、ファインダ内に表示された選択可能フレームのうち、撮像に利用されるフレームのフレーム情報を選択する。（Ｓ１００４：フレーム情報選択ステップ）。そして、フレーム情報選択ステップにて選択されたフレーム情報を取得する（Ｓ１００５：フレーム情報取得ステップ）。
【０１１１】
その後、撮像ボタンの１回押下信号を検知する（Ｓ１００６：１回押下信号検知ステップ）と、これをトリガに、焦点ステップにおいて、選択されたフレーム情報のなかの１つのフレーム情報に従って撮像焦点をあわせる（Ｓ１００７：合焦ステップ）。１つのフレーム情報に従って撮像焦点があったら、撮像領域の画像を撮像する（Ｓ１００８：撮像ステップ）。
【０１１２】
その後、未だ撮像に利用されていないフレーム情報があるか判断する（Ｓ１００９：判断ステップ）。判断ステップでの判断の結果いまだに撮像に利用されていないフレーム情報があるとの判断結果である場合には、その未利用のフレーム情報に従って撮像焦点をあわせ（Ｓ１００７：合焦ステップ）、当該撮像領域の画像を撮像する（Ｓ１００８：撮像ステップ）。これを、未利用のフレーム情報がなくなるまで繰り返す。
<実施形態３の効果>
【０１１３】
本実施形態の撮像装置は、予め保持しているフレーム情報に基づいてファインダ内にフレームを表示することができる。これにより、実際にファインダ内に表示されたフレームと風景の相性を確認し、なかから最適なフレーム情報を選択することができる。
<<実施形態４>>
<実施形態４の概要>
【０１１４】
本実施形態の撮像装置は、実施形態１から３のうちのいずれか１つの撮像装置を基本とし、さらに、実際に撮像するよう定めた撮像領域をファインダ内に表示されたフレームで確認することができる。
【０１１５】
図１１の概念図は、本実施形態の撮像装置により連続撮像した効果の一例を示す概念図である。図１１−Ａに示すように、２人の人物と２本の木が撮像装置のファインダに表示されている。そして、ファインダ内に、２本の木を撮像する領域を定めた１つのフレームが表示されている。また、２人の人物を撮像する領域を定めた１つのフレームが表示されている。さらに、２人の人物のそれぞれの顔を撮像する領域を定めた２つのフレームが表示されている。これら４つのフレームは、利用者の操作により、又は、撮像装置の有するオート機能により定められている。
【０１１６】
当初、これら４つのフレームのうち、２人の人物と２本の木を撮像する領域を定めた１つのフレームと２人の人物のみを撮像する領域を定めた１つのフレームは、薄く表示されている。これは、利用者がこのフレームにより定められた領域を撮像しないよう設定していることを表している。一方、２人の人物のそれぞれの顔を撮像する領域を定めた２つのフレームは、濃く表示されている。これは、利用者がこれらのフレームにより定められた領域を撮像するよう設定していることを表している。
【０１１７】
その後、利用者がカーソルなどで２人の人物のみを撮像する領域を定めた１つのフレームを選択すると（図１１−Ｂ）、画面上に「フレームの領域を撮像しますか？『ＹＥＳ』or『NO』」の案内が表示される（図１１−Ｃ）。ここで、利用者はいずれかを選択する。図の場合、利用者は『ＹＥＳ』を選択する。すると、２人の人物のみを撮像する領域を定めた１つのフレームが濃く表示されるよう変化する（図１１−Ｄ）。これは、利用者がこのフレームにより定められた領域を撮像するよう設定していることを表している。
【０１１８】
その後、撮像ボタンを１回押下すると、濃く表示されている３つのフレームにより定められた領域を光学ズーム、又は、デジタルズームなどで拡大するなどして連続撮像する。その結果、３パターンの画像が撮像される（図１１−Ｅ）。
<実施形態４の機能的構成>
【０１１９】
図１２は、本実施形態の撮像装置の機能ブロックの一例を表す図である。この図にあるように、本実施例の「撮像装置」（１２００）の機能ブロックは、実施形態３の撮像装置（図９）を基本とし、さらに「利用フレーム表示部」（１２０６）を有する。
すなわち、本実施例の「撮像装置」（１２００）は、「ファインダ」（１２０１）と、「フレーム情報取得部」（１２０２）と、「撮像ボタン」（１２０３）と、「焦点部」（１２０４）と、「撮像部」（１２０５）と、「利用フレーム表示部」（１２０６）と、「フレーム情報保持部」（１２０７）と、「選択部」（１２０８）と、「選択可能フレーム表示部」（１２０９）を有する。「撮像装置」（１２００）としては、デジタルカメラを搭載した携帯電話や一般的デジタルカメラ等が挙げられる。
【０１２０】
以下、本実施形態の「ファインダ」（１２０１）と、「利用フレーム表示部」（１２０６）の構成について説明する。尚、その他の構成については、実施形態１から３のうちのいずれか１つと同様であるので、ここでの詳細な説明は省略する。
【０１２１】
「ファインダ」（１２０１）は、実施形態１から３のうちのいずれか１つの構成を基本とし、さらに、以下で説明する利用フレーム表示部（１２０６）の機能により、フレームを表示するよう構成されている。
【０１２２】
「利用フレーム表示部」（１２０６）は、フレーム情報取得部（１２０２）が取得したフレーム情報に基づいて、ファインダ（１２０１）内に撮像に利用するフレーム（利用フレーム）を表示するよう構成されている。「撮像に利用するフレーム（利用フレーム）」とは、撮像ボタンを押下すると実際に撮像される画像を定めているフレームである。利用フレームは、ファインダ内で撮像する領域を定め、利用者が撮像領域をファインダで確認することができるようにする点で、選択可能フレームと同様の機能を有する。しかし、利用フレームにより定められた領域は、撮像ボタンを押下されると撮像されるが、選択可能フレームにより定められた領域の内、撮像するよう選択されなかったものは、撮像ボタンを押下しても撮像されない点でその機能を異にする。
【０１２３】
利用フレーム表示部（１２０６）は、選択可能フレームが表示されているファインダ内に、同時に利用フレームを表示できるよう構成されてもよい。利用フレームは、前記の通り、選択可能フレームと性質を異にする。よって、利用フレームは、利用者がファインダ内で選択可能フレームと容易に識別できることが望まれる。そこで、利用フレーム表示部（１２０６）は、利用フレームを選択可能フレームと容易に識別できるように表示するよう構成されていてもよい。その手段としては、特段制限されない、例えば、利用フレーム表示部（１２０６）は、利用フレームを色により選択可能フレームと識別することができるように表示するよう構成されていてもよい。または、選択可能フレームがファインダ内で薄く表示される場合は、利用フレーム表示部（１２０６）は利用フレームを濃く表示するよう構成されていてもよい。
【０１２４】
なお、利用フレーム表示部（１２０６）は、利用フレームをファインダ（１２０１）内に複数表示できるよう構成されていてもよい。かかる場合、複数のフレームがファインダ（１２０１）内で錯綜し、利用者がそれぞれを識別できなくなる可能性がある。そこで、利用フレーム表示部（１２０６）は、ファインダ（１２０１）内に表示される複数のフレームを、利用者が容易に識別できるように表示することができるよう構成されている。その手段としては特段制限されず、例えば、それぞれのフレームの色を変えて表示してもよい。または、それぞれのフレームの中心部に番号を表示するようにしてもよい。
【０１２５】
さらに、利用フレーム表示部（１２０６）は、利用フレームで定められる画像を、撮像前に、実際に光学ズームなどで拡大し、ファインダ内に表示できるよう構成されていてもよい。これにより、利用者は、撮像前に実際に撮像する画像を確認することが可能になる。
<実施形態４のハードウェア構成>
【０１２６】
本実施形態における撮像装置を実現するためのハードウェア構成は、すでに示した図３と同様である。
【０１２７】
利用フレーム表示部（１２０６）は、ＣＰＵ（０３０１）、揮発性メモリ（０３０２）、不揮発性メモリ（０３０３）、などからなる。  
<実施形態４の具体例>
【０１２８】
以下に、上記ハードウェア構成からなる撮像装置が利用フレーム情報に基づいてファインダ内にフレームを表示する具体的な動作の一例を説明する。
【０１２９】
ＣＰＵ（０３０１）は、利用フレーム情報を揮発性メモリ（０３０２）に一時保存した後、そのアドレスを記憶しておく。その後、不揮発性メモリ（０３０３）より、利用フレームをファインダ内に表示するためのプログラムを取り出し、記憶したアドレスに保存してあるフレーム情報を利用して、プログラムに従いファインダ内に利用フレームを表示する。
【０１３０】
なお、上記ハードウェア構成は一例を示すものであり、上記以外のハードウェアにて本電子機器を構成しても良い。この場合には、各ハードウェア構成における処理は上記処理に限られない。
<実施形態４の処理の流れ>
【０１３１】
本実施形態の処理の流れの一例を図１３のフローチャートに示す。
【０１３２】
まず、撮像用モードに切替える信号を取得し、これに応じて撮像用モードに切替える（Ｓ１３０１、Ｓ１３０２：撮像用モード切替ステップ）。
【０１３３】
次に、ファインダ内に選択可能フレームを表示する（Ｓ１３０３：選択可能フレーム表示ステップ）。その後、ファインダ内に表示された選択可能フレームのうち、撮像に利用されるフレームのフレーム情報を選択する。（Ｓ１３０４：フレーム情報選択ステップ）。そして、フレーム情報選択ステップにて選択されたフレーム情報を取得し（Ｓ１３０５：フレーム情報取得ステップ）、利用フレームをファインダ内に表示する（Ｓ１３０６：利用フレーム表示ステップ）。
【０１３４】
そして、撮像ボタンの１回押下信号を検知する（Ｓ１３０７：１回押下信号検知ステップ）と、これをトリガに、焦点ステップにおいて、選択されたフレーム情報のなかの１つのフレーム情報に従って撮像焦点をあわせる（Ｓ１３０８：合焦ステップ）。１つのフレーム情報に従って撮像焦点があったら、撮像領域の画像を撮像する（Ｓ１３０９：撮像ステップ）。
【０１３５】
その後、未だ撮像に利用されていないフレーム情報があるか判断する（Ｓ１３１０：判断ステップ）。判断ステップでの判断の結果いまだに撮像に利用されていないフレーム情報があるとの判断結果である場合には、その未利用のフレーム情報に従って撮像焦点をあわせ（Ｓ１３０８：合焦ステップ）、当該撮像領域の画像を撮像する（Ｓ１３０９：撮像ステップ）。これを、未利用のフレーム情報がなくなるまで繰り返す。
<実施形態４の効果>
【０１３６】
本実施形態の撮像装置では、実際に撮像するよう選択したフレームをファインダ内で確認することができる。これにより、フレームを選択後、いずれのフレームを選択したかファインダ内で確認することができる。また、撮像ボタンを押下する前に最終確認をすることが可能に、真に撮像を希望するフレームのみ撮像することが可能となる。
<<実施形態５>>
<実施形態５の概要>
【０１３７】
本実施形態の撮像装置は、実施形態１から４のうちのいずれか１つの撮像装置を基本とし、さらに、ファインダにより定められた領域も、実際に撮像する領域として利用することができる。すなわち、１回の撮像ボタンの押下により、フレームにより定めた領域とファインダにより定めた領域を連続撮像することが可能である。
【０１３８】
図１４の概念図は、本実施形態の撮像装置により連続撮像した効果の一例を示す概念図である。図１４−Ａに示すように、２人の人物と２本の木が撮像装置のファインダに表示されている。そして、ファインダ内に、２人の人物のみを撮像する領域を定めた１つのフレームが濃く表示されている。濃く表示されたフレームは、利用者がこのフレームにより定められた領域を撮像するよう設定していることを表している。また、２人の人物のそれぞれの顔を撮像する領域を定めた２つのフレームが薄く表示されている。薄く表示されたフレームは、利用者がこれらのフレームにより定められた領域を撮像しないよう設定していることを表している。これら３つのフレームは、利用者の操作により、又は、撮像装置の有するオート機能により定められている。
【０１３９】
さらに、ファインダ内の右下に「Ｆ：ＯＦＦ」の表示がされている。これは、利用者がファインダにより定められる領域を撮像するよう設定しているか否かを示す表示であり、図の場合、ファインダにより定められる領域を撮像しないよう設定していることを表している。その後、利用者が、カーソルなどにより「Ｆ：ＯＦＦ」部分を選択すると、画面上に「ファインダの領域を撮像しますか？『ＹＥＳ』or『NO』」の案内が表示される（図１４−Ｂ）。ここで、利用者はいずれかを選択する。図の場合、利用者は『ＹＥＳ』を選択する。すると、画面右下の「Ｆ：ＯＦＦ」の表示が、「Ｆ：ＯＮ」に変わる（図１４−Ｃ）。これは、ファインダにより定められる領域を撮像するよう設定していることを表している。
【０１４０】
その後、利用者は、撮像ボタンを１回押下する。すると、ファインダで定められた領域と濃く表示されている１つのフレームにより定められた領域の２つを、順次、光学ズーム、又は、デジタルズームなどにより拡大するなどして連続撮像などする。その結果、２パターンの画像が撮像される（図１４−Ｄ）。
<実施形態５の機能的構成>
【０１４１】
図４２は、本実施形態の撮像装置の機能ブロックの一例を表す図である。この図にあるように、本実施例の「撮像装置」（４２００）の機能ブロックは、実施形態４の撮像装置（図１２）を基本とし、さらに「撮像部」（４２０５）が「全域撮像手段」を有する。
すなわち、本実施例の「撮像装置」（４２００）は、「ファインダ」（４２０１）と、「フレーム情報取得部」（４２０２）と、「撮像ボタン」（４２０３）と、「焦点部」（４２０４）と、「撮像部」（４２０５）と、「利用フレーム表示部」（４２０６）と、「フレーム情報保持部」（４２０７）と、「選択部」（４２０８）と、「選択可能フレーム表示部」（４２０９）を有する。「撮像装置」（４２００）としては、デジタルカメラを搭載した携帯電話や一般的デジタルカメラ等が挙げられる。
【０１４２】
以下、本実施形態の「撮像部」（４２０５）の構成について説明する。尚、その他の構成については、実施形態１から４のうちのいずれか１つと同様であるので、ここでの詳細な説明は省略する。
【０１４３】
「撮像部」（４２０５）は、撮像ボタン（４２０３）押下をトリガとしてファインダ内画像全域をも撮像する全域撮像手段を有するよう構成されている。撮像部（４２０５）は、利用者が入力したファインダ内画像全域を撮像するか否かの信号を受けとるよう構成されている。そして、撮像部（４２０５）は、取得した信号がファインダ内画像全域を撮像するである場合、撮像ボタン（４２０３）押下をトリガとしてファインダ内全域の映像信号を取得し、当該画像の撮像をするよう構成されている。
【０１４４】
また、撮像部（４２０５）は、ファインダ内画像全域を撮像した際、画像上にそのときファインダ内に表示されていた利用フレームもあわせて記録するよう構成されていてもよい。かかる場合、撮像部（４２０５）は、利用フレーム情報を取得するよう構成されている。そして、撮像した映像信号にフレームを書き込むよう構成されている。これにより、利用フレームが書き込まれたファインダ内全域画像は、連続撮像した複数の画像のダイジェスト版としての役目を果たす。すなわち、利用者は、連続撮像した画像を確認する際、すべての画像をそれぞれ確認するまでもなく、利用フレームが書き込まれたファインダ内全域画像のみを確認することで、連続撮像した画像の数や領域などを容易に把握することができる。
<実施形態５のハードウェア構成>
【０１４５】
本実施形態における撮像装置を実現するためのハードウェア構成は、すでに示した図３と同様である。
<実施形態５の具体例>
【０１４６】
以下に、上記ハードウェア構成からなる撮像装置が、ファインダ内画像全域を撮像する具体的な動作の一例を説明する。
【０１４７】
まず、ＣＰＵ（０３０１）は、利用者が入力した「ファインダ全域画像を撮像する」との信号を取得すると、その旨を、記憶しておく。その後、利用者が入力した撮像ボタンの押下を検知すると、ＣＣＤ（０３１１）よりファインダ内全域の映像信号を取得し、映像信号出力回路（０３１０）でデジタル信号に変換する。そして、映像ファイルとしＨＤＤ（０３０４）または、不揮発性メモリ（０３０３）に保存する。その後、揮発性メモリ（０３０２）に保存してあるフレーム情報を１つ取り出し、現在の焦点位置及び範囲を示す情報と前記フレーム情報との差異を演算処理する。そして、その結果に基づいて焦点をあわすようオートフォーカス駆動回路（０３１２）に指示を出す。オートフォーカス駆動回路（０３１２）で焦点をあわせると、その後、ＣＣＤ（０３１１）より映像信号を取得し、映像信号出力回路（０３１０）でデジタル信号に変換する。そして、フレーム情報で特定される領域の映像信号のみを取り出して、映像ファイルとしＨＤＤ（０３０４）または、不揮発性メモリ（０３０３）に保存する。その後の処理は、実施形態１などと同様であるので、ここでの詳細な説明は省略する。
【０１４８】
なお、上記ハードウェア構成は一例を示すものであり、上記以外のハードウェアにて本電子機器を構成しても良い。この場合には、各ハードウェア構成における処理は上記処理に限られない。
<実施形態５の処理の流れ>
【０１４９】
本実施形態の処理の流れの一例を図１５のフローチャートに示す。
【０１５０】
まず、撮像用モードに切替える信号を取得し、これに応じて撮像用モードに切替える（Ｓ１５０１、Ｓ１５０２：撮像用モード切替ステップ）。
【０１５１】
次に、ファインダ内に選択可能フレームを表示する（Ｓ１５０３：選択可能フレーム表示ステップ）。その後、ファインダ内に表示された選択可能フレームのうち、撮像に利用されるフレームのフレーム情報を選択する。（Ｓ１５０４：フレーム情報選択ステップ）。そして、フレーム情報選択ステップにて選択されたフレーム情報を取得し（Ｓ１５０５：フレーム情報取得ステップ）、利用フレームをファインダ内に表示する（Ｓ１５０６：利用フレーム表示ステップ）。また、ファインダ内画像全域を撮像するか否かを示す信号を取得する（Ｓ１５０７：全域撮像信号取得ステップ）。
【０１５２】
ファインダ内画像全域を撮像する信号を取得した場合、撮像ボタンの１回押下信号を検知する（Ｓ１５０８：１回押下信号検知ステップ）と、これをトリガに、ファインダ内全域の画像を撮像する。（Ｓ１５１０：撮像ステップ）。その後、焦点ステップにおいて、選択されたフレーム情報のなかの１つのフレーム情報に従って撮像焦点をあわせる（Ｓ１５１１：合焦ステップ）。１つのフレーム情報に従って撮像焦点があったら、撮像領域の画像を撮像する（Ｓ１５１２：撮像ステップ）。
【０１５３】
その後、未だ撮像に利用されていないフレーム情報があるか判断する（Ｓ１５１３：判断ステップ）。判断ステップでの判断の結果いまだに撮像に利用されていないフレーム情報があるとの判断結果である場合には、その未利用のフレーム情報に従って撮像焦点をあわせ（Ｓ１５１１：合焦ステップ）、当該撮像領域の画像を撮像する（Ｓ１５１２：撮像ステップ）。これを、未利用のフレーム情報がなくなるまで繰り返す。
【０１５４】
なお、ファインダ内画像全域を撮像しない信号を取得した場合の処理は、実施形態４と同様であるので、ここでの詳細な説明は省略する。
<実施形態５の効果>
【０１５５】
本実施形態の撮像装置は、ファインダ全域に表示された画像も撮像することが可能である。これにより、ファインダ内で定めることが可能な撮像領域の選択肢が増え、利用者が真に撮像を希望する領域で撮像することが可能となる。
<<実施形態６>>
<実施形態６の概要>
【０１５６】
本実施形態の撮像装置は、実施形態１から５のうちのいずれか１つの撮像装置を基本とし、さらに、ファインダ内に人物像が映し出されている場合は、所定のルールに従って自動的にフレームを作成しファインダ内に表示する機能を有することを特徴とする。
【０１５７】
図１６の概念図は、本実施形態の撮像装置で撮像することによる効果の一例を示す概念図である。利用者が、撮像装置を撮像モードに切替えると（図１６−Ａ）、ファインダ内に撮像可能な画像が映し出される（図１６−Ｂ）。すると、撮像装置は、ファインダ内に人物像が映し出されているか判断する。人物像がファインダ内に映し出されていると判断すると、所定のルールに従いフレームを生成しファインダ内に表示する。例えば、所定のルールが、人物の顔、上半身、全身にあわせてフレームを生成するよう定まっていたとする。すると、図のような３つのフレームが自動生成され、ファインダ内に表示される(図１６−Ｃ)。利用者は、ファインダ内に映し出された１以上のフレームを確認しながら、撮像する領域を決定する。
【０１５８】
このような機能により、利用者は、フレームを設定する手間を省くことが可能となる。
<実施形態６の機能的構成>
【０１５９】
図１７は、本実施形態の撮像装置の機能ブロックの一例を表す図である。この図にあるように、本実施例の「撮像装置」（１７００）の機能ブロックは、実施形態４の撮像装置（図１２）を基本とし、さらに「人物抽出部」（１７１０）と、「第一生成部」（１７１１）を有する。
すなわち、本実施例の「撮像装置」（１７００）は、「ファインダ」（１７０１）と、「フレーム情報取得部」（１７０２）と、「撮像ボタン」（１７０３）と、「焦点部」（１７０４）と、「撮像部」（１７０５）と、「利用フレーム表示部」（１７０６）と、「フレーム情報保持部」（１７０７）と、「選択部」（１７０８）と、「選択可能フレーム表示部」（１７０９）と、「人物抽出部」（１７１０）と、「第一生成部」（１７１１）と、を有する。「撮像装置」（１７００）としては、デジタルカメラを搭載した携帯電話や一般的デジタルカメラ等が挙げられる。
【０１６０】
以下、本実施形態の「人物抽出部」（１７１０）と、「第一生成部」（１７１１）の構成について説明する。尚、その他の構成については、実施形態１から実施形態５のうちのいずれか１つと同様であるので、ここでの詳細な説明は省略する。
【０１６１】
「人物抽出部」（１７１０）は、ファインダ内に表示されている撮像可能領域の画像から人物像を抽出するよう構成されている。人物像を抽出する手段としては特段制限されず、例えば、人物抽出部（１７１０）は顔認識システムを利用してファインダ内から人物像を抽出するよう構成されている。人物抽出部（１７１０）は、人物像を抽出した場合、第一生成部（１７１１）に抽出した人物像の情報（以下、「抽出人物像情報」という）を送るよう構成されている。「抽出人物像情報」としては、抽出した人物像の数、人物像のファインダ内における位置、人物像の大きさなどが考えられる。抽出人物像情報は、第一生成部（１７１１）で、フレーム情報を生成するのに利用される。
【０１６２】
また、人物抽出部（１７１０）は、ファインダ内で抽出した１以上の人物像の中から、特定の人物（例えば利用者の家族など）を抽出することができるよう構成されていてもよい。当該機能を満たす手段としては、以下のような構成が考えられる。人物抽出部（１７１０）は、ファインダ内で抽出された人物像の顔部分を識別し、その顔から輪郭、目、鼻、口などの特徴的な部分を抽出するよう構成されている。また、本撮像装置（１７００）は、顔データを登録できるよう構成されており（例えば利用者の家族など）、人物抽出部（１７１０）は、登録されている人物の顔データを取得するよう構成されている。そして、人物抽出部（１７１０）は、ファインダ内で抽出された人物像の顔を示すデータと、登録されている人物の顔データを照合していくことで、登録されている人物を抽出することができるよう構成されている。
【０１６３】
なお、人物抽出部（１７１０）は、特定の人物を抽出するために利用する人物像の顔データを、撮像する段階でその人物から取得し、すぐ利用することができるよう構成されていてもよい。例えば、携帯電話を利用した以下のような手段などが考えられる。携帯電話は、利用者の顔データを記録することができる。そして、本撮像装置は撮像モードに切替えた後、撮像装置から一定距離（例えば、半径１メートル以内）の場所に、一定時間（例えば、１０秒）、存在する携帯電話に顔データを送信するよう要求する信号を送る。当該信号を受けとった携帯電話は、画面上に当該要求に応えるか否かの案内を映し出す。そして、利用者が要求に応えるよう入力すると、撮像装置に対して顔データを送信する。利用者が要求に応えないよう入力した場合、撮像装置に対して顔データを送信しない。このような手段により、撮像装置は、携帯電話に保存されている顔データを容易に取得し、特定人物を抽出するのに利用することができる。
【０１６４】
人物抽出部（１７１０）が登録されている人物を抽出することができるよう構成されている場合、人物抽出部（１７１０）は、第一生成部（１７１１）に抽出人物像情報とあわせて、登録されている人物であることを示す情報（以下、「登録人情報」という）を渡すよう構成されていてもよい。登録人情報は、抽出人物像情報とともに、第一生成部（１７１１）で、フレーム情報を生成するのに利用される。
【０１６５】
「第一生成部」（１７１１）は、抽出人物像を撮像するために所定のルールに従ってフレーム情報を生成するよう構成されている。「所定のルール」とは、前記抽出人物情報や登録人情報などを利用して、フレーム情報を生成するためのルールである。例えば、「ファインダ内に人物像が１人のみ抽出された場合、その人物像の顔、上半身、全体像を撮像するような領域を定める３つのフレーム情報を生成する。」でもよい。かかる場合、第一生成部（１７１１）がフレーム情報を生成する手段としては、例えば、以下のような手段が考えられる。人物抽出部（１７１１）から取得した抽出人物情報には、人物像の顔の位置を示す情報が含まれている。そして、第一生成部（１７１１）は、前記情報に基づいて抽出した顔から重心点（図４０−Ａ）を求めることができるよう構成されており、その重心点から顔の輪郭を結んだ無数の直線の内、最も距離の長い直線の距離を求めることができるよう構成されている。例えば、最も長い距離が「Ｌ１」だったとする。かかる場合、第一生成部（１７１１）は、人物像の顔を撮像する領域を定めるフレームとして、顔の重心点（図４０−Ａ）を中心とし、長さ「２．４×Ｌ１」の正方形のフレームのフレーム情報を生成するよう構成されていてもよい（図４０）。また、人物像の上半身を撮像する領域を定めるフレームとして、図４１に示すように、顔の重心点（図４１−Ａ）から上に「１．２×Ｌ１」の距離に上辺（図４１−Ｔ）があり、顔の重心点から下に「４×Ｌ１」の距離に下辺（図４１−Ｂ）があり、顔の重心点から左右に「２．５×Ｌ１」の距離に左辺（図４１−Ｌ）、右辺（図４１−Ｒ）があるような長方系のフレームのフレーム情報を生成するよう構成されていてもよい。さらに、人物像の全体像を撮像する領域を定めるフレームとして、顔の重心点から上に「１．２×Ｌ１」の距離に上辺があり、顔の重心点から下に「１５×Ｌ１」の距離に下辺があり、顔の重心点から左右に「３×Ｌ１」の距離に左辺、右辺があるような長方系のフレームのフレーム情報を生成するよう構成されていてもよい。
【０１６６】
フレーム情報を生成するためのルールとしては、その他に、「ファインダ内に人物像が複数人抽出された場合、複数人のそれぞれの人物像の顔を撮像するような領域を定める複数のフレーム情報を生成する。」でもよい。または、人物抽出部（１７１０）が登録されている人物を抽出することができるよう構成されている場合は、「ファインダ内に人物像が複数人抽出された場合で、その中に登録されている人物が認識された場合、登録されている人物の顔、上半身、全体像を撮像するような領域を定める３つのフレーム情報を生成する。」でもよい。
【０１６７】
第一生成部（１７１１）は、生成したフレーム情報をフレーム情報取得部（１７０２）またはフレーム情報保持部（１７０７）に渡すように構成されている。
【０１６８】
<実施形態６のハードウェア構成>
【０１６９】
本実施形態における撮像装置を実現するためのハードウェア構成は、すでに示した図３と同様である。
【０１７０】
人物抽出部（１７１０）は、ＣＰＵ（０３０１）、揮発性メモリ（０３０２）、不揮発性メモリ（０３０３）、ＣＣＤ（０３１１）、映像信号出力回路（０３１０）などからなる。また、第一生成部（１７１１）は、ＣＰＵ（０３０１）、揮発性メモリ（０３０２）、不揮発性メモリ（０３０３）などからなる。
<実施形態６の具体例>
【０１７１】
以下に、上記ハードウェア構成からなる撮像装置がフレーム情報を生成する具体的な動作の一例を説明する。
【０１７２】
ＣＰＵ（０３０１）は、人物の顔の輪郭、その中の目、鼻、口などの特徴的な構成を示すデータを利用して、ＣＣＤ（０３１１）から取得した画像データと照合することで、人物像を抽出する。そして、人物像を抽出すると、その人物の顔部分の重心点を求め、重心点から顔の輪郭までを結んだ直線距離の内、最も長い距離（Ｌ１）を演算により求め、揮発性メモリ（０３０２）に一時保存する。その後、ＣＰＵ（０３０１）は、不揮発性メモリ（０３０３）に保存してあるフレーム情報を生成するためのプログラムを取り出し、Ｌ１を利用して、フレーム情報を生成する。
<実施形態６の処理の流れ>
【０１７３】
本実施形態の処理の流れの一例を図１８のフローチャートに示す。
【０１７４】
まず、撮像用モードに切替える信号を取得し、これに応じて撮像用モードに切替える（Ｓ１８０１、Ｓ１８０２：撮像用モード切替ステップ）。
【０１７５】
次に、ファインダ内に映し出された画像の中に、人物像が存在しないか確認し、存在する場合は人物像の情報を抽出する（Ｓ１８０３：人物像抽出ステップ）。
【０１７６】
人物像が抽出された場合は（Ｓ１８０４）、所定のルールに従って、フレーム情報を生成する（Ｓ１８０５：第一生成ステップ）。そして、生成したフレーム情報を取得し（Ｓ１８０８：フレーム情報取得ステップ）、取得したフレーム情報に基づいてファインダ内に利用フレームを表示する（Ｓ１８０９：利用フレーム表示ステップ）。
【０１７７】
一方、人物像が抽出されなかった場合は（Ｓ１８０４）、ファインダ内に選択可能フレームを表示する（Ｓ１８０６：選択可能フレーム表示ステップ）。その後、ファインダ内に表示された選択可能フレームのうち、撮像に利用されるフレームのフレーム情報を選択する（Ｓ１８０７：フレーム情報選択ステップ）。そして、フレーム情報選択ステップにて選択されたフレーム情報を取得する（Ｓ１８０８：フレーム情報取得ステップ）。そして、取得したフレーム情報に基づいてファインダ内に利用フレームを表示する（Ｓ１８０９：利用フレーム表示ステップ）。
【０１７８】
以下の処理は、実施形態１などと同様であるので、ここでの詳細な説明は省略する。
<実施形態６の効果>
【０１７９】
本実施形態の撮像装置は、ファインダに表示されている画像から人物像を抽出した場合、所定のルールに従って自動的にフレーム情報を生成し、ファインダ内にフレームを表示することができる。これらの機能により、利用者はフレームの位置、大きさ等を設定する手間を省くことが可能となる。
<<実施形態７>>
<実施形態７の概要>
【０１８０】
本実施形態の撮像装置は、実施形態６の撮像装置を基本とし、さらに、ファインダ内に人物像が映し出されていない場合には、他の所定のルールに従って自動的にフレームを生成しファインダ内に表示する機能を有することを特徴とする。
【０１８１】
図１９の概念図は、本実施形態の撮像装置で撮像することによる効果の一例を示す概念図である。利用者が、撮像装置を撮像モードに切替えると（図１９−Ａ）、ファインダ内に撮像可能な画像が映し出される（図１９−Ｂ）。すると、撮像装置は、ファインダ内に人物像が映し出されているか判断する。人物像がファインダ内に映し出されていないと判断すると、他の所定のルールに従いフレームを生成しファインダ内に表示する。例えば、他の所定のルールが、ファインダ内所定の位置に所定の大きさのフレームを３つ生成するよう定まっていたとする。すると、図のような３つのフレームが自動生成され、ファインダ内に表示される（図１９−Ｃ）。利用者は、ファインダ内に映し出された１以上のフレームを確認しながら、撮像する領域を決定する。このような機能により、利用者は、フレームを設定する手間を省くことが可能となる。
<実施形態７の機能的構成>
【０１８２】
図２０は、本実施形態の撮像装置の機能ブロックの一例を表す図である。この図にあるように、本実施例の「撮像装置」（２０００）の機能ブロックは、実施形態６の撮像装置（図１７）を基本とし、さらに「第二生成部」（２０１２）を有する。
すなわち、本実施例の「撮像装置」（２０００）は、「ファインダ」（２００１）と、「フレーム情報取得部」（２００２）と、「撮像ボタン」（２００３）と、「焦点部」（２００４）と、「撮像部」（２００５）と、「利用フレーム表示部」（２００６）と、「フレーム情報保持部」（２００７）と、「選択部」（２００８）と、「選択可能フレーム表示部」（２００９）と、「人物抽出部」（２０１０）と、「第一生成部」（２０１１）と、「第二生成部」（２０１２）とを有する。「撮像装置」（２０００）としては、デジタルカメラを搭載した携帯電話や一般的デジタルカメラ等が挙げられる。
【０１８３】
以下、本実施形態の「第二生成部」（２０１２）の構成について説明する。尚、その他の構成については、実施形態６と同様であるので、ここでの詳細な説明は省略する。
【０１８４】
「第二生成部」（２０１２）は、人物抽出部（２０１０）にて人物像が抽出されない場合には他の所定のルールにてフレーム情報を生成するよう構成されている。「他の所定のルール」としては、例えば、「ファインダの中心部に大、中、小、３つのサイズのフレームを表示するフレーム情報を生成する。」でもよい。または、「ファインダを縦に３等分するような３つのフレームを表示するフレーム情報を生成する。」でもよい。
【０１８５】
また、第二生成部（２０１２）は、人物抽出部（２０１０）にて人物像が抽出されない場合、それを認識できるよう構成されている。第二生成部（２０１２）は、人物抽出部（２０１０）にて人物像が抽出されなかったことを示す信号を、人物抽出部（２０１０）から取得するよう構成されていてもよい。かかる場合、第二生成部（２０１２）は、その信号を受けとったのをトリガとしてフレーム情報を生成するよう構成される。
【０１８６】
さらに、第二生成部（２０１１）は、生成したフレーム情報をフレーム情報取得部（２００２）またはフレーム情報保持部（２００７）に渡すように構成されている。
【０１８７】
<実施形態７のハードウェア構成>
【０１８８】
本実施形態における撮像装置を実現するためのハードウェア構成は、すでに示した図３と同様である。
<実施形態７の具体例>
【０１８９】
以下に、上記ハードウェア構成からなる撮像装置がフレーム情報を生成する具体的な動作の一例を説明する。
【０１９０】
ＣＰＵ（０３０１）は、不揮発性メモリ（０３０２）から他の所定のルールを取り出しフレーム情報を生成する。生成したフレーム情報は、揮発性メモリ（０３０２）に一時保存され、ディスプレイ（０３０５）にフレームを表示するために利用されるなどする。
【０１９１】
なお、上記ハードウェア構成は一例を示すものであり、上記以外のハードウェアにて本電子機器を構成しても良い。この場合には、各ハードウェア構成における処理は上記処理に限られない。
<実施形態７の処理の流れ>
【０１９２】
本実施形態の処理の流れの一例を図２１のフローチャートに示す。
【０１９３】
まず、撮像用モードに切替える信号を取得し、これに応じて撮像用モードに切替える（Ｓ２１０１、Ｓ２１０２：撮像用モード切替ステップ）。
【０１９４】
次に、ファインダ内に映し出された画像の中に、人物像が存在しないか確認し、存在する場合は人物像の情報を抽出する（Ｓ２１０３：人物像抽出ステップ）。
【０１９５】
人物像抽出ステップで人物像が抽出されなかった場合は（Ｓ２１０４）、他の所定のルールに従って、フレーム情報を生成する（Ｓ２１０６：第二生成ステップ）。そして、生成したフレーム情報を取得し（Ｓ２１０７：フレーム情報取得ステップ）、取得したフレーム情報に基づいてファインダ内に利用フレームを表示する（Ｓ２１０８：利用フレーム表示ステップ）。以下の処理は、実施形態１などと同様であるので、ここでの詳細な説明は省略する。
【０１９６】
一方、人物像抽出ステップで人物像が抽出された場合の処理は、実施形態６と同様であるので、ここでの詳細な説明は省略する。
<実施形態７の効果>
【０１９７】
本実施形態の撮像装置は、ファインダに表示されている画像から人物像を抽出しなかった場合、他の所定のルールに従って自動的にフレーム情報を生成し、ファインダ内にフレームを表示することができる。これらの機能により、利用者はフレームの位置、大きさ等を設定する手間を省くことが可能となる。
<<実施形態８>>
<実施形態８の概要>
【０１９８】
本実施形態の撮像装置は、実施形態６または７のうちのいずれか１つの撮像装置を基本とし、さらに、ファインダ内に映し出された画像に基づいて自動的にフレームを作成するためのルールを変更したり追加したりすることができる。
【０１９９】
これにより、利用者の希望するフレームを自動的に生成し、画面上に表示することが可能となる。そして、利用者はフレームを設定する手間を省くことが可能となる。
<実施形態８の機能的構成>
【０２００】
図２２は、本実施形態の撮像装置の機能ブロックの一例を表す図である。この図にあるように、本実施例の「撮像装置」（２２００）の機能ブロックは、実施形態７の撮像装置（図２０）を基本とし、さらに「ルール保持部」（２２１３）と、「管理部」（２２１４）とを有する。
すなわち、本実施例の「撮像装置」（２２００）は、「ファインダ」（２２０１）と、「フレーム情報取得部」（２２０２）と、「撮像ボタン」（２２０３）と、「焦点部」（２２０４）と、「撮像部」（２２０５）と、「利用フレーム表示部」（２２０６）と、「フレーム情報保持部」（２２０７）と、「選択部」（２２０８）と、「選択可能フレーム表示部」（２２０９）と、「人物抽出部」（２２１０）と、「第一生成部」（２２１１）と、「第二生成部」（２２１２）と、「ルール保持部」（２２１３）と、「管理部」（２２１４）とを有する。「撮像装置」（２２００）としては、デジタルカメラを搭載した携帯電話や一般的デジタルカメラ等が挙げられる。
【０２０１】
以下、本実施形態の「ルール保持部」（２２１３）と、「管理部」（２２１４）の構成について説明する。尚、その他の構成については、実施形態６または７のいずれか１つと同様であるので、ここでの詳細な説明は省略する。
【０２０２】
「ルール保持部」（２２１３）は、ルールを保持するよう構成されている。「ルール」とは、第一生成部（２２１１）で利用される「所定のルール」と、第二生成部（２２１２）で利用される「他の所定のルール」を含む概念である。ここで、ルール保持部（２２１３）は複数の所定のルール及び他の所定のルールを保持できるよう構成されていてもよい。かかる場合、ルール保持部（２２１３）は、利用者がいずれのルールでフレーム情報を生成するように設定しているかを認識できるように構成されており、それに従い所定のルール、または、他の所定のルールを取り出し、第一生成部（２２１１）または第二生成部（２２１２）に渡すように構成されている。
【０２０３】
「管理部」（２２１４）は、ルール保持部（２２１３）が保持しているルールの追加、変更、削除の入力を受付けてこれを管理するよう構成されている。管理部（２２１４）が、ルールの変更などの入力を受付ける手段としては、利用者から受付ける場合や、ＳＤカードや通信回路などから新たなルールを受付ける場合などが考えられる。
【０２０４】
ここで、ルールの変更としては以下のような変更でもよい。例えば、「ファインダ内に人物像が１人のみ抽出された場合、その人物像の顔、上半身、全体像を撮像するような領域を定める３つのフレーム情報を生成する。」との所定のルールが保持されている場合、これを、「ファインダ内に人物像が１人のみ抽出された場合、その人物像の顔、全体像を撮像するような領域を定める２つのフレーム情報を生成する。」に変更する情報でもよい。または、「ファインダ内に人物像が複数人抽出された場合、複数人のそれぞれの人物像の顔を撮像するような領域を定める複数のフレーム情報を生成する。」との所定のルールが保持されている場合、これを、「ファインダ内に人物像が複数人抽出された場合、複数人の人物像の顔をすべて撮像するような領域を定める１つのフレーム情報を生成する。」に変更する情報でもよい。さらには、「ファインダ内に人物像が抽出されなかった場合、ファインダを縦に３等分するような３つのフレーム情報を生成する。」との他の所定のルールが保持されている場合、「ファインダ内に人物像が抽出されなかった場合、ファインダを横に３等分するような３つのフレーム情報を生成する。」に変更する情報でもよい。
<実施形態８のハードウェア構成>
【０２０５】
本実施形態における撮像装置を実現するためのハードウェア構成は、すでに示した図３と同様である。
【０２０６】
ルール保持部（２２１３）は、不揮発性メモリ（０３０３）などからなる。また、管理部（２２１４）は、ＣＰＵ（０３０１）、揮発性メモリ（０３０２）、ユーザインターフェイス（０３０６）、グラフィカルポインタ（０３０８）などからなる。
<実施形態８の具体例>
【０２０７】
以下に、上記ハードウェア構成からなる撮像装置が所定のルールを変更などする具体的な動作の一例を説明する。
【０２０８】
まず、ＣＰＵ（０３０１）は、利用者がグラフィカルポインタ（０３０８）などにより入力した、ルールを変更などするための信号を受付ける。すると、ＣＰＵ（０３０１）は、不揮発性メモリ（０３０３）より所定のルールを取り出して、揮発性メモリ（０３０２）に一時保存する。そして、利用者の入力した情報に基づいて、所定のルールを書き換えるなどする。その後、不揮発性メモリ（０３０３）に保存する。
【０２０９】
なお、上記ハードウェア構成は一例を示すものであり、上記以外のハードウェアにて本電子機器を構成しても良い。この場合には、各ハードウェア構成における処理は上記処理に限られない。
<実施形態８の処理の流れ>
【０２１０】
本実施形態の処理の流れの一例を図２３のフローチャートに示す。
【０２１１】
ルール保持部が保持しているルールを変更などするための信号を受付ける（Ｓ２３０１：受付ステップ）。そして、受付けた信号に従って、ルール保持部が保持しているルールを書き換えるなどする（Ｓ２３０２：ルール書換ステップ）。
<実施形態８の効果>
【０２１２】
本実施形態の撮像装置は、ファインダ内に自動的に表示するフレームを生成するためのルールを、追加、変更、削除することができる。これにより、利用者が望むフレームを自動的にファインダ内に表示することが可能となる。そして、これらの機能により、利用者はフレームの位置、大きさ等を設定する手間を省くことが可能となる。
<<実施形態９>>
<実施形態９の概要>
【０２１３】
本実施形態の撮像装置は、実施形態１から８のうちのいずれか１つの撮像装置を基本とし、さらに、ファインダ内に表示されたフレームの位置、大きさなどを、入力操作キーなどにより変更することができる。これにより、利用者はファインダで被写体を確認しながらフレームを操作し、自己の希望する領域で撮像することが可能となる。
<実施形態９の機能的構成>
【０２１４】
図２４は、本実施形態の撮像装置の機能ブロックの一例を表す図である。この図にあるように、本実施例の「撮像装置」（２４００）の機能ブロックは、実施形態４の撮像装置（図１２）を基本とし、さらに「フレーム情報変更部」（２４１５）と、「フレーム操作情報受付部」（２４１６）とを有する。
すなわち、本実施例の「撮像装置」（２４００）は、「ファインダ」（２４０１）と、「フレーム情報取得部」（２４０２）と、「撮像ボタン」（２４０３）と、「焦点部」（２４０４）と、「撮像部」（２４０５）と、「利用フレーム表示部」（２４０６）と、「フレーム情報保持部」（２４０７）と、「選択部」（２４０８）と、「選択可能フレーム表示部」（２４０９）と、「フレーム情報変更部」（２４１５）と、「フレーム操作情報受付部」（２４１６）とを有する。「撮像装置」（２４００）としては、デジタルカメラを搭載した携帯電話や一般的デジタルカメラ等が挙げられる。
【０２１５】
以下、本実施形態の「フレーム情報変更部」（２４１５）と、「フレーム操作情報受付部」（２４１６）の構成について説明する。尚、その他の構成については、実施形態１から実施形態８のうちのいずれか１つと同様であるので、ここでの詳細な説明は省略する。
【０２１６】
「フレーム操作情報受付部」（２４１６）は、フレーム情報を変更、削除するためのフレーム操作情報を受付けるよう構成されている。変更、削除されるフレーム情報とは、利用フレームとして選択されフレーム情報取得部（２４０２）が取得しているフレーム情報のほか、選択可能フレームとしてフレーム情報保持部（２４０７）が保持しているフレーム情報も含む。ここで、フレーム情報保持部（２４０７）が保持しているフレーム情報には、ファインダ内に表示されているフレームのフレーム情報も、表示されていないフレームのフレーム情報も含む。これにより、利用者は、ファインダ内に表示されたフレームを確認しながらフレームの位置、大きさなどを変更するようフレーム操作情報を入力し、真に撮像を希望する画像を撮像できることとなる。なお、フレーム操作情報は、フレームの位置、大きさ、形状を変更などするもののほか、ファインダ内に表示された複数のフレームを１つのフレームとして合体さすものや、又は、１つのフレームを複数のフレームに分割するようなものでもよい。
【０２１７】
ここで、フレーム操作情報受付部（２４１６）がフレーム操作情報を受付ける手段としては、いかなる手段でもよい。例えば、フレーム操作情報受付部（２４１６）は、利用者が入力したフレーム操作情報を受付けるよう構成されていてもよい。利用者がフレーム操作情報を入力する手段としては特段制限されない。例えば、ファインダに表示されている１以上のフレームから１つのフレームを選択し、十字キーにより移動、拡大、縮小などさせてもよい。また、入力操作キーを操作してファインダ（２４０１）内にメニュー画面を呼び出し、メニュー画面の案内に従って、フレームを移動させる方向、移動量、フレームを拡大させる拡大率、フレームを縮小させる縮小率などを入力するようにしてもよい。さらに、タッチパネル機能を利用してフレームを移動、拡大、縮小などさせてもよい。
【０２１８】
「フレーム情報変更部」（２４１５）は、フレーム操作情報に応じてフレーム情報を変更削除するよう構成されている。すなわち、フレーム情報変更部（２４１５）は、フレーム操作情報受付部（２４１６）よりフレーム操作情報を取得するように構成されている。そして、フレーム操作情報に従い、フレーム情報取得部（２４０２）又はフレーム情報保持部（２４０７）が保持しているフレーム情報を変更削除するよう構成されている。
<実施形態９のハードウェア構成>
【０２１９】
本実施形態における撮像装置を実現するためのハードウェア構成は、すでに示した図３と同様である。
【０２２０】
フレーム情報変更部（２４１５）は、ＣＰＵ（０３０１）、揮発性メモリ（０３０２）、不揮発性メモリ（０３０３）などからなる。また、フレーム操作情報受付部（２４１６）は、ＣＰＵ（０３０１）、揮発性メモリ（０３０２）、ユーザインターフェイス（０３０６）、グラフィカルポインタ（０３０８）などからなる。
<実施形態９の具体例>
【０２２１】
以下に、上記ハードウェア構成からなる撮像装置がディスプレイに映し出したフレームの表示を変更などする具体的な動作の一例を説明する。
【０２２２】
まず、利用者が撮像装置の入力操作キー（図示せず）を操作して撮像用モードに切替える。すると、ＣＰＵ（０３０１）は、ディスプレイ（０３０６）上に、撮像可能な画像を映し出す。これは、ＣＣＤ（０３１１）から取得した映像信号を映像信号出力回路（０３１０）でデジタル信号に変換し、当該信号を利用してディスプレイ上に画像を映し出すことで実現する。
【０２２３】
また、ＣＰＵ（０３０１）は、不揮発性メモリ（０３０３）から保存されているフレーム情報を取り出し、揮発性メモリ（０３０２）に一時保存する。そして、当該情報に従い、ディスプレイ（０３０５）上に１以上のフレームを表示する。その後、利用者からのフレームの位置又は大きさを変更する信号を受けとると、揮発性メモリ（０３０２）に一時保存しているフレーム情報を書き換えるなどする。そして、変更したフレーム情報に従い、ディスプレイ（０３０５）上にフレームを表示する。
【０２２４】
以下の処理は、実施形態１などと同様であるので、ここでの詳細な説明は省略する。
【０２２５】
なお、上記ハードウェア構成は一例を示すものであり、上記以外のハードウェアにて本電子機器を構成しても良い。この場合には、各ハードウェア構成における処理は上記処理に限られない。
<実施形態９の処理の流れ>
【０２２６】
本実施形態の処理の流れの一例を図２５のフローチャートに示す。
【０２２７】
まず、撮像用モードに切替える信号を取得し、これに応じて撮像用モードに切替える（Ｓ２５０１、Ｓ２５０２：撮像用モード切替ステップ）。
【０２２８】
次に、ファインダ内に選択可能フレームを表示する（Ｓ２５０３：選択可能フレーム表示ステップ）。その後、必要に応じてフレーム操作情報を受付ける（Ｓ２５０４：フレーム操作情報受付ステップ）。そして、受付けたフレーム操作情報に応じてフレーム情報を変更削除し（Ｓ２５０５：フレーム情報変更ステップ）、ファインダ内の選択可能フレームの表示を変更する（Ｓ２５０６：選択可能フレーム表示ステップ）。
【０２２９】
その後、ファインダ内に表示された選択可能フレームのうち、撮像に利用されるフレームのフレーム情報を選択する。（Ｓ２５０７：フレーム情報選択ステップ）。そして、フレーム情報選択ステップにて選択されたフレーム情報を取得し（Ｓ２５０８：フレーム情報取得ステップ）、取得したフレーム情報に基づいてファインダ内に利用フレームを表示する（Ｓ２５０９：利用フレーム表示ステップ）。
【０２３０】
以下の処理は、実施形態１などと同様であるので、ここでの詳細な説明は省略する。
<実施形態９の効果>
【０２３１】
本実施形態の撮像装置により、ファインダ内に表示されたフレームの位置、大きさなどを自在に変更などすることができる。これにより、ある瞬間の風景を、利用者が真に希望する１以上の画像で撮像することが可能である。
<<実施形態１０>>
<実施形態１０の概要>
【０２３２】
本実施形態の撮像装置は、実施形態４から９の撮像装置のうちの１つを基本とし、さらに、ファインダ内にフレームを自動表示するために自動生成したフレーム情報が、連続撮像可能な所定の数を超えてしまった場合に、自動生成したフレーム情報の中から所定の数以下のフレーム情報を選択し、選択したフレームをファインダに表示する機能を有する。
【０２３３】
図２６の概念図は、本実施形態の撮像装置による効果の一例を示す概念図である。利用者が、撮像装置を撮像モードに切替えると（図２６−Ａ）、ファインダ内に撮像可能な画像が映し出される（図２６−Ｂ）。すると、撮像装置は、ファインダ内に人物が映し出されているか判断する。人物像がファインダ内に映し出されていると判断すると、所定のルールに従いフレームを生成しファインダ内に表示する。例えば、人物像を抽出すると、人物の顔、上半身、全身を撮像するようなフレームを生成するようルールが定まっていたとする。図の場合、ファインダ内には５人の人物が映し出されている。かかる場合、１５個のフレーム情報が生成される。
【０２３４】
しかし、本撮像装置が連続撮像することが可能な数は、例えば、５回だったとする。かかる場合、生成されたすべてのフレーム情報に従って、１５個のフレームをファインダに表示すると、ファインダ内でフレームが錯綜し、利用者が識別不能になる。そこで、本撮像装置は、所定のルールに従って１５個のフレーム情報の中から５個のフレーム情報を選択し、５個のフレームをファインダに表示することとなる。図の場合、所定のルールが、顔にあわせたフレームを優先的に選択するよう定まっていたとする。すると、図のような５つのフレームがファインダ内に表示される（図２６−Ｃ）。
<実施形態１０の機能的構成>
【０２３５】
図４３は、本実施形態の撮像装置の機能ブロックの一例を表す図である。この図にあるように、本実施例の「撮像装置」（４３００）の機能ブロックは、実施形態８の撮像装置（図２２）を基本とし、さらに「選択部」（４３０８）が「超過選択手段」を有する。
すなわち、本実施例の「撮像装置」（４３００）は、「ファインダ」（４３０１）と、「フレーム情報取得部」（４３０２）と、「撮像ボタン」（４３０３）と、「焦点部」（４３０４）と、「撮像部」（４３０５）と、「利用フレーム表示部」（４３０６）と、「フレーム情報保持部」（４３０７）と、「選択部」（４３０８）と、「選択可能フレーム表示部」（４３０９）と、「人物抽出部」（４３１０）と、「第一生成部」（４３１１）と、「第二生成部」（４３１２）と、「ルール保持部」（４３１３）と、「管理部」（４３１４）と、を有する。「撮像装置」（４３００）としては、デジタルカメラを搭載した携帯電話や一般的デジタルカメラ等が挙げられる。
【０２３６】
以下、本実施形態の「選択部」（４３０８）の構成について説明する。尚、その他の構成については実施形態８と同様であるので、ここでの詳細な説明は省略する。
【０２３７】
「選択部」（４３０８）は、実施形態１から９のうちのいずれか１つの構成を基本とし、さらに、フレーム情報保持部（４３０７）に保持されているフレーム情報が所定の数よりも多い場合には、超過選択手段により、所定のルールに従って選択可能フレーム表示部（４３０９）に出力するフレーム情報を選択するよう構成されている。
【０２３８】
ここで、「所定の数」とは、１回の撮像ボタンの押下により連続撮像することが可能な回数である。本実施形態の撮像装置（４３００）は、第一生成部（４３１１）又は第二生成部（４３１２）で自動的にフレーム情報を生成し、そのフレーム情報に従って連続撮像することができる。しかし、生成されたフレーム情報が所定の数を超えている場合、その中から実際に撮像に利用する所定の数以下のフレーム情報を選択する必要がある。ここで、生成されたフレーム情報の中から所定の数以下のフレーム情報を選択する手段としては、ファインダ内にすべてのフレーム情報に基づいてすべてのフレームを表示し、利用者がそれらを１つづつ確認して選択する手段が考えられる。しかし、当該手段だと生成されたフレーム情報が大量にある場合、ファインダ内で複数のフレームが錯綜してしまい、利用者がそれらを識別して選択するのは困難である。そこで、選択部（４３０８）は、生成されたフレーム情報が所定の数より多い場合、フレーム情報保持部（４３０７）で保持されている複数のフレーム情報の中から、所定の数以下のフレーム情報を所定のルールに従って選択し、選択可能フレーム表示部（４３０９）に出力するよう構成されている。
【０２３９】
ここで、「所定のルール」としては、例えば、顔データとして登録されている人物のフレーム情報が存在する場合は、当該フレーム情報を優先的に選択するようなものでもよい。または、人物像が多く存在するフレームのフレーム情報を優先的に選択するようなものでもよい。または、人物の顔に定めたフレーム情報のうちフレーム面積が大きいものから優先的に選択するようなものでもよい。または、人物の顔に定めたフレーム情報のうちファインダの中心付近にあるものから優先的に選択するようなものでもよい。フレームの面積の選択部（４３０８）は、このような所定のルールを、撮像装置が工場から出荷される段階から何パターンか利用可能であり、利用者の選択に従って使い分けるよう構成されていてもよい。
<実施形態１０のハードウェア構成>
【０２４０】
本実施形態における撮像装置を実現するためのハードウェア構成は、すでに示した図３と同様である。
<実施形態１０の具体例>
【０２４１】
以下に、上記ハードウェア構成からなる撮像装置が所定の数を超えてフレーム情報を生成したとき、所定の数以下のフレーム情報を選択する具体的な動作の一例を説明する。
【０２４２】
ＣＰＵ（０３０１）は、フレーム情報を生成した後、大小比較演算処理により、生成したフレーム情報の数が所定の数を超えていないか判断する。生成したフレーム情報の数が所定の数を超えている場合、フレーム情報を揮発性メモリ（０３０２）に保存する。その後、不揮発性メモリ（０３０３）より、フレーム情報を選択するための所定のルールを取り出す。そして、当該ルールに従い、複数のフレーム情報の中から、所定の数のフレーム情報を取り出し、揮発性メモリ（０３０２）に保存する。
【０２４３】
なお、上記ハードウェア構成は一例を示すものであり、上記以外のハードウェアにて本電子機器を構成しても良い。この場合には、各ハードウェア構成における処理は上記処理に限られない。
<実施形態１０の処理の流れ>
【０２４４】
本実施形態の処理の流れの一例を図２７のフローチャートに示す。
【０２４５】
まず、撮像用モードに切替える信号を取得し、これに応じて撮像用モードに切替える（Ｓ２７０１、Ｓ２７０２：撮像用モード切替ステップ）。
【０２４６】
次に、ファインダ内に映し出された画像の中に、人物像が存在しないか確認し、存在する場合は人物像の情報を抽出する（Ｓ２７０３：人物像抽出ステップ）。
【０２４７】
人物像が抽出された場合は（Ｓ２７０４）、所定のルールに従って、フレーム情報を生成する（Ｓ２７０５：第一生成ステップ）。ここで、生成したフレーム情報が所定の数より多い場合（Ｓ２７０７）、生成したフレーム情報をフレーム情報保持部で保持する（Ｓ２７０８）。そして、所定のルールに従って、所定の数以下のフレーム情報を選択し（Ｓ２７０９：フレーム情報選択ステップ）、選択したフレーム情報に基づいてファインダ内に選択可能フレームを表示する（Ｓ２７１０：選択可能フレーム表示ステップ）。
【０２４８】
その後、フレーム情報選択ステップにて選択されたフレーム情報を取得する（Ｓ２７１１：フレーム情報取得ステップ）。そして、取得したフレーム情報に基づいてファインダ内に利用フレームを表示する（Ｓ２７１２：利用フレーム表示ステップ）。
【０２４９】
以下の処理は、実施形態１などと同様であるので、ここでの詳細な説明は省略する。
【０２５０】
一方、生成したフレーム情報が所定の数より少ない場合（Ｓ２７０７）、そのフレーム情報を取得する（Ｓ２７１１：フレーム情報取得ステップ）。そして、取得したフレーム情報に基づいてファインダ内に利用フレームを表示する（Ｓ２７１２：利用フレーム表示ステップ）。
【０２５１】
以下の処理は、実施形態１などと同様であるので、ここでの詳細な説明は省略する。
<実施形態１０の効果>
【０２５２】
本実施形態の撮像装置は、ファインダ内の画像に応じて自動的に生成したフレームがファインダ内に表示可能な数を超えていた場合、所定のルールに従ってファインダ内に表示するフレームを選択して表示することができる。これにより、利用者が希望するフレームを優先的にファインダ内に表示することができ、フレームの位置、大きさ等を設定する手間を省くことが可能となる。
<<実施形態１１>>
<実施形態１１の概要>
【０２５３】
本実施形態の撮像装置は、実施形態１から実施形態１０のうちの１つを基本とし、さらに、ファインダ内で撮像する領域を定めた１以上のフレームを、他のフレームと識別することができる。これにより、フレームが複数存在する場合でも、フレームを個別に選択し、フレーム情報の変更などができる。
<実施形態１１の機能的構成>
【０２５４】
図４４は、本実施形態の撮像装置の機能ブロックの一例を表す図である。この図にあるように、本実施例の「撮像装置」（４４００）の機能ブロックは、実施形態１の撮像装置（図２）を基本とし、さらに「フレーム情報取得部」（４４０２）が「識別フレーム情報取得手段」を有する。
すなわち、本実施例の「撮像装置」（４４００）は、「ファインダ」（４４０１）と、「フレーム情報取得部」（４４０２）と、「撮像ボタン」（４４０３）と、「焦点部」（４４０４）と、「撮像部」（４４０５）とを有する。「撮像装置」（４４００）としては、デジタルカメラを搭載した携帯電話や一般的デジタルカメラ等が挙げられる。
【０２５５】
以下、本実施形態の「フレーム情報取得部」（４４０２）の構成について説明する。尚、その他の構成については、実施形態１から１０のうちのいずれか１つと同様であるので、ここでの詳細な説明は省略する。
【０２５６】
「フレーム情報取得部」（４４０２）は、実施形態１から１０のうちのいずれか１つの構成を基本とし、さらに、識別フレーム情報取得手段により、１つのフレームを他のフレームから識別するためのフレーム識別情報を取得するよう構成されている。「フレーム識別情報」とは、ファインダ内に表示された１以上のフレームを識別するための情報であり、例えば、数字またはアルファベットまたはそれらの組み合わせなどにより構成されている。これにより、ファインダ内の複数のフレームを個別に選択し、変更などの操作を行うことが可能になるほか、撮像した１以上の画像を個別に取り出して、編集などを行うことが可能になる。なお、撮像した画像は保存され、一定期間経過後取り出して編集などを行われる可能性もある。よって、フレーム識別情報は、後述する記録部などで、撮像された画像と関連付けて保存されてもよい。かかる場合、フレーム識別情報は、撮像し保存されている複数の画像の中から、１つの画像を識別し取り出せるようなものとなっている。例えば、撮像した日付（例えば、「２００７０１０１」）とその日に撮像した画像の通し番号（例えば、「０００１」）を組み合わせたフレーム識別情報(例えば、「２００７０１０１−０００１」)などが考えられる。
【０２５７】
また、フレーム識別情報は、連続撮像した画像を１つのグループとして識別できるようなものでもよい。例えば、１回の撮像ボタンの押下で連続撮像された画像のフレーム識別情報は、「Ａ−０００１、Ａ−０００２、Ａ−０００３・・・」で、新たに撮像ボタンを押下し連続撮像された画像のフレーム識別情報は、「Ｂ−０００１、Ｂ−０００２、Ｂ−０００３・・・」などである。これは、前半のアルファベットで連続撮像したグループを識別し、後半の数字でそれらを個別に識別できるようなフレーム識別情報になっている。
<実施形態１１のハードウェア構成>
【０２５８】
本実施形態における撮像装置を実現するためのハードウェア構成は、すでに示した図３と同様である。
<実施形態１１の具体例>
【０２５９】
以下に、上記ハードウェア構成からなる撮像装置がフレーム識別情報を取得する具体的な動作の一例を説明する。
【０２６０】
ＣＰＵ（０３０１）は、撮像に利用するフレーム情報として揮発性メモリ（０３０２）に保存したフレーム情報の数を演算処理により認識する。そして、そのフレーム情報の数と同数のフレーム識別情報を取得し、各フレーム情報にそれぞれのフレーム識別情報を割り当てる。そして、各フレーム情報に、割り当てたフレーム識別情報を付加する。
【０２６１】
なお、上記ハードウェア構成は一例を示すものであり、上記以外のハードウェアにて本電子機器を構成しても良い。この場合には、各ハードウェア構成における処理は上記処理に限られない。
<実施形態１１の処理の流れ>
【０２６２】
本実施形態の処理の流れの一例を図２８のフローチャートに示す。
【０２６３】
撮像装置の操作を受付けて撮像用モード切替信号を取得し、これに応じて撮像用モードに切替える（Ｓ２８０１、Ｓ２８０２：撮像用モード切替ステップ）。
【０２６４】
その後、撮像する領域を定めた１以上のフレーム情報を取得する（Ｓ２８０３：フレーム情報取得ステップ）。また、それと同数のフレーム識別情報を取得する（Ｓ２８０４：フレーム識別情報取得ステップ）。そして、取得したフレーム識別情報を複数のフレーム情報を識別するのに利用するなどする。
以下の処理は、実施形態１などと同様であるので、ここでの詳細な説明は省略する。
<実施形態１１の効果>
【０２６５】
本実施形態の撮像装置は、ファインダ内に表示された複数のフレームを、個別に移動などすることができる。これにより、ある瞬間の風景を、利用者が真に希望する１以上の画像で撮像することが可能である。
<<実施形態１２>>
<実施形態１２の概要>
【０２６６】
本実施形態の撮像装置は、実施形態１１を基本とし、さらに、連続撮像した画像を保存した後、それらを個別に、または、一括して取り出すことが可能である。
【０２６７】
連続撮像した画像は、１つのファインダ内で定められた１つ以上の領域である。よって、これらの画像は、関連性を有する場合が多いと考えられる。かかる場合、利用者は、これらをまとめてメールなどにより送信することを希望する場合が考えられる。または、利用者は、これらをまとめて編集することを希望する場合が考えられる。
【０２６８】
本実施形態の撮像装置は、連続撮像した１つ以上の画像をグループ化して保存することが可能であり、それゆえ、一括して取り出すことが可能である。
<実施形態１２の機能的構成>
図２９は、本実施形態の撮像装置の機能ブロックの一例を表す図である。この図にあるように、本実施例の「撮像装置」（２９００）の機能ブロックは、実施形態１１の撮像装置（図４４）を基本とし、「利用フレーム表示部」（２９０６）を有し、さらに、「記録部」（２９１７）を有する。
すなわち、本実施例の「撮像装置」（２９００）は、「ファインダ」（２９０１）と、「フレーム情報取得部」（２９０２）と、「撮像ボタン」（２９０３）と、「焦点部」（２９０４）と、「撮像部」（２９０５）と、「利用フレーム表示部」（２９０６）と、「記録部」（２９１７）とを有する。「撮像装置」（２９００）としては、デジタルカメラを搭載した携帯電話や一般的デジタルカメラ等が挙げられる。
【０２６９】
以下、本実施形態の「記録部」（２９１７）の構成について説明する。尚、その他の構成については、実施形態１１と同様であるので、ここでの詳細な説明は省略する。
【０２７０】
「記録部」（２９１７）は、撮像部（２９０５）が撮像した画像とフレーム識別情報とを関連付けて記録するよう構成されている。本実施形態の撮像装置（２９００）は、撮像した画像を大量に記録することができるよう構成されていてもよい。
【０２７１】
ここで、撮像した画像が大量に記録されている場合、利用者が記録されている画像の中から希望の画像を取り出すためには、記録されている画像を１つづつ確認していく手段が考えられる。しかし、当該手段は時間と手間がかかり、急いで希望の画像を取り出したいときには適さない。かかる場合、各画像がフレーム識別情報と関連付けて記録されており、そのフレーム識別情報を利用して画像を取り出すことができれば、容易に希望の画像を取り出すことができる。例えば、記録部（２９１７）が、撮像した日付（例えば、「２００７０１０１」）とその日に撮像した画像の通し番号（例えば、「０００１」）を組み合わせたフレーム識別情報(例えば、「２００７０１０１−０００１」)を画像と関連付けて記録するよう構成されている場合、利用者は、記録されている画像の中から撮像した日付（２００７０１０１）をキーワードにして画像を検索することで容易に希望の画像を取り出すことができる。
【０２７２】
記録部（２９１７）は、前記フレーム識別情報をフレーム情報取得部（２９０２）から取得するように構成されていても、または、焦点部（２９０４）から取得するように構成されていても、さらには、撮像部（２９０５）から撮像した画像とともに取得するように構成されていてもよい。
<実施形態１２のハードウェア構成>
【０２７３】
本実施形態における撮像装置を実現するためのハードウェア構成は、すでに示した図３と同様である。
【０２７４】
記録部（２９１７）は、ＨＤＤ（０３０４）または、不揮発性メモリ（０３０３）などからなる。
<実施形態１２の具体例>
【０２７５】
以下に、上記ハードウェア構成からなる撮像装置が撮像した画像をフレーム識別情報と関連付けて記録する具体的な動作の一例を説明する。
【０２７６】
ＣＰＵ（０３０１）は、撮像に利用するフレーム情報を１つ取得すると、そのフレーム情報の中からフレーム識別情報を取り出し、一時、揮発性メモリ（０３０２）に保存しておく。その後、ＣＣＤ（０３１１）より映像信号を取得し、映像信号出力回路（０３１０）でデジタル信号に変換する。そして、フレーム情報で特定される領域の映像信号のみを取り出す。その後、取り出した映像信号に揮発性メモリ（０３０２）に保存してあるフレーム識別情報を付加し、映像ファイルとして、ＨＤＤ（０３０４）または、不揮発性メモリ（０３０３）に保存する。
【０２７７】
なお、上記ハードウェア構成は一例を示すものであり、上記以外のハードウェアにて本電子機器を構成しても良い。この場合には、各ハードウェア構成における処理は上記処理に限られない。
<実施形態１２の処理の流れ>
【０２７８】
本実施形態の処理の流れの一例を図３０のフローチャートに示す。
【０２７９】
撮像装置の操作を受付けて撮像用モード切替信号を取得し、これに応じて撮像用モードに切替える（Ｓ３００１、Ｓ３００２：撮像用モード切替ステップ）。
【０２８０】
撮像する領域を定めた１以上のフレーム情報を取得する（Ｓ３００３：フレーム情報取得ステップ）。また、それと同数のフレーム識別情報を取得する（Ｓ３００４：フレーム識別情報取得ステップ）。
【０２８１】
その後、撮像ボタンの１回押下信号を検知する（Ｓ３００６：１回押下信号検知ステップ）。
【０２８２】
当該撮像ボタン押下信号をトリガに、フレーム情報取得ステップにて取得された１以上のフレーム情報の中から１つのフレーム情報を選択して、選択したフレーム情報に従って撮像焦点をあわせる（Ｓ３００７：合焦ステップ）。
【０２８３】
合焦ステップでの撮像焦点があった旨を示す信号を取得すると撮像領域の画像を撮像し、映像信号に変換し、ファイルとして記憶する（Ｓ３００８：撮像ステップ）。
【０２８４】
そして、撮像した画像とフレーム識別情報を関連付けて記録する（Ｓ３００９：記録ステップ）。
【０２８５】
その後、フレーム情報取得ステップにて取得されたフレーム情報の中に、未だ撮像に利用されていないフレーム情報があるか判断する（Ｓ３０１０）。判断の結果、いまだに撮像に利用されていないフレーム情報がある場合にはその未利用のフレーム情報を用いて撮像焦点をあわせるための処理が合焦ステップに戻って行なわれ（Ｓ３００７）、判断の結果が既に撮像に全てのフレーム情報が利用されているとの判断結果である場合には撮像処理を終了する。その後次の撮像ボタンの押下があるまで待機する。撮像モードから他のモードへ切替えがなされた場合には、待機処理を終了する。
<実施形態１２の効果>
【０２８６】
本実施形態の撮像装置は、連続撮像などした１以上の画像を個別に、または、グループ化して保存することができる。これにより、ある瞬間の風景を、利用者の希望する様々な画像として連続撮像して保存した後、それらをまとめて、または、個別に取り出すことが可能である。これにより、撮像後の画像の編集などが容易になる。
<<実施形態１３>>
<実施形態１３の概要>
【０２８７】
本実施形態の撮像装置は、実施形態１２を基本とし、さらに、撮像した画像を付加情報と関連付けて記録することが可能である。すなわち、顔のみに焦点をあてて撮像した画像は、その旨の情報が付加され保存することができる。また、５人以上の複数人を撮像した画像は、その旨の情報が付加され保存することができる。さらに、顔認識機能を利用し、顔データを登録されている人に焦点をあてて撮像した画像は、その登録人を示す情報を付加し保存することができる。
【０２８８】
この機能により、撮像され保存されている複数の画像の中から、希望する画像を容易に取り出すことが可能となる。
<実施形態１３の機能的構成>
【０２８９】
図３１は、本実施形態の撮像装置の機能ブロックの一例を表す図である。この図にあるように、本実施例の「撮像装置」（３１００）の機能ブロックは、実施形態１２の撮像装置（図２９）を基本とし、さらに、「付加情報取得部」（３１１８）を有し、「記録部」（３１１７）が「付加情報記録手段」を有する。
すなわち、本実施例の「撮像装置」（３１００）は、「ファインダ」（３１０１）と、「フレーム情報取得部」（３１０２）と、「撮像ボタン」（３１０３）と、「焦点部」（３１０４）と、「撮像部」（３１０５）と、「利用フレーム表示部」（３１０６）と、「記録部」（３１１７）と、「付加情報取得部」（３１１８）とを有する。「撮像装置」（３１００）としては、デジタルカメラを搭載した携帯電話や一般的デジタルカメラ等が挙げられる。
【０２９０】
以下、本実施形態の「付加情報取得部」（３１１８）と「記録部」（３１１７）の構成について説明する。尚、その他の構成については、実施形態１２と同様であるので、ここでの詳細な説明は省略する。
【０２９１】
「付加情報取得部」（３１１８）は、各フレームを利用して撮像された画像と関連付けることを目的とした情報である付加情報を取得するよう構成されている。ここで、「付加情報」とは、撮像した画像の特徴を示す情報などである。具体的には、実施形態４で説明した顔認識機能を利用して登録人の画像を撮像した場合、その人物を示す情報であってもよい。または、人物が含まれない風景のみの画像が撮像された場合、その旨を識別するための情報であってもよい。さらには、連続撮像単位を識別する情報であってもよい。付加情報取得部（３１１８）は、前記のような付加情報を、実施形態６で説明した人物抽出部から取得するよう構成されていても、第一生成部から取得するよう構成されていても、実施形態７で説明した第二生成部から取得するよう構成されていてもよい。
【０２９２】
本実施形態の「記録部」（３１１７）は、実施形態１２の構成を基本とし、さらに、取得した付加情報をフレーム識別情報と関連付けて記録する付加情報記録手段を備えるよう構成されている。ここで、記録部（３１１７）は、「付加情報」と「フレーム識別情報」を関連付けて記録するよう構成されている。また、実施形態７で説明した通り、「撮像した画像」と「フレーム識別情報」を関連付けて記録するよう構成されている。すなわち、このような記録部（３１１７）の記録手段により、「付加情報」より「フレーム識別情報」を導き出し、導き出した「フレーム識別情報」より「撮像した画像」を導き出すことが可能となる。
<実施形態１３のハードウェア構成>
【０２９３】
本実施形態における撮像装置を実現するためのハードウェア構成は、すでに示した図３と同様である。
【０２９４】
付加情報取得部（３１１８）は、ＣＰＵ（０３０１）、揮発性メモリ（０３０２）、不揮発性メモリ（０３０３）などからなる。
<実施形態１３の具体例>
【０２９５】
以下に、上記ハードウェア構成からなる撮像装置が撮像した画像を付加情報と関連付けて記録する具体的な動作の一例を説明する。
【０２９６】
ＣＰＵ（０３０１）は、撮像に利用するフレーム情報を１つ取得すると、そのフレーム情報に関連する付加情報を取得し、揮発性メモリ（０３０２）に保存しておく。その後、ＣＣＤ（０３１１）より映像信号を取得し、映像信号出力回路（０３１０）でデジタル信号に変換する。そして、フレーム情報で特定される領域の映像信号のみを取り出す。その後、取り出した映像信号に揮発性メモリ（０３０２）に保存してある付加情報を付加し、映像ファイルとして、ＨＤＤ（０３０４）または、不揮発性メモリ（０３０３）に保存する。
【０２９７】
なお、上記ハードウェア構成は一例を示すものであり、上記以外のハードウェアにて本電子機器を構成しても良い。この場合には、各ハードウェア構成における処理は上記処理に限られない。
<実施形態１３の処理の流れ>
【０２９８】
本実施形態の処理の流れの一例を図３２のフローチャートに示す。
【０２９９】
撮像装置の操作を受付けて撮像用モード切替信号を取得し、これに応じて撮像用モードに切替える（Ｓ３２０１、Ｓ３２０２：撮像用モード切替ステップ）。
【０３００】
撮像する領域を定めた１以上のフレーム情報を取得する（Ｓ３２０３：フレーム情報取得ステップ）。また、それと同数のフレーム識別情報を取得する（Ｓ３２０４：フレーム識別情報取得ステップ）。さらに、必要に応じて付加情報を取得する（Ｓ３２０５：付加情報取得ステップ）。そして、取得したフレーム情報に基づいてファインダ内に利用フレームを表示する（Ｓ３２０６：利用フレーム表示ステップ）。
【０３０１】
その後、撮像ボタンの１回押下信号を検知する（Ｓ３２０７：１回押下信号検知ステップ）。
【０３０２】
当該撮像ボタン押下信号をトリガに、フレーム情報取得ステップにて取得された１以上のフレーム情報の中から１つのフレーム情報を選択して、選択したフレーム情報に従って撮像焦点をあわせる（Ｓ３２０８：合焦ステップ）。
【０３０３】
合焦ステップでの撮像焦点があった旨を示す信号を取得すると撮像領域の画像を撮像し、映像信号に変換し、ファイルとして記憶する（Ｓ３２０９：撮像ステップ）。
【０３０４】
そして、撮像した画像とフレーム識別情報を関連付けて記録する（Ｓ３２１０：記録ステップ）。また、取得した付加情報をフレーム識別情報と関連付けて記録する（Ｓ３２１１：付加情報記録ステップ）。
【０３０５】
その後、フレーム情報取得ステップにて取得されたフレーム情報の中に、未だ撮像に利用されていないフレーム情報があるか判断する（Ｓ３２１２）。判断の結果、いまだに撮像に利用されていないフレーム情報がある場合にはその未利用のフレーム情報を用いて撮像焦点をあわせるための処理が合焦ステップに戻って行なわれ（Ｓ３２０８）、判断の結果が既に撮像に全てのフレーム情報が利用されているとの判断結果である場合には撮像処理を終了する。その後次の撮像ボタンの押下があるまで待機する。撮像モードから他のモードへ切替がなされた場合には、待機処理を終了する。
<実施形態１３の効果>
【０３０６】
本実施形態の撮像装置は、撮像した画像を、その画像と関連のある情報と関連付けて保存することができる。これにより、ある瞬間の風景を、利用者の希望する様々な画像として連続撮像し、保存した後、付加情報を利用して希望する画像を容易に取り出すことができる。これにより、撮像後の画像の編集などが容易になる。
<<実施形態１４>>
<実施形態１４の概要>
【０３０７】
本実施形態の撮像装置は、実施形態１３を基本とし、さらに、付加情報を利用することで、保存されている複数の画像の中から希望する画像を容易に取り出し、取り出した画像をまとめて編集などすることが可能である。例えば、連続撮像した複数の画像をまとめて編集したい場合、保存されている複数の画像の中から、同じ連続撮像単位であることを示す付加情報を利用して編集を希望する画像を選択する。そして、選択している画像すべてに、同一の情報を書き込む編集や、それらをまとめてメール送信する処理などができる。
<実施形態１４の機能的構成>
【０３０８】
図３３は、本実施形態の撮像装置の機能ブロックの一例を表す図である。この図にあるように、本実施例の「撮像装置」（３３００）の機能ブロックは、実施形態１３の撮像装置（図３１）を基本とし、さらに、「処理部」（３３１９）を有する。
すなわち、本実施例の「撮像装置」（３３００）は、「ファインダ」（３３０１）と、「フレーム情報取得部」（３３０２）と、「撮像ボタン」（３３０３）と、「焦点部」（３３０４）と、「撮像部」（３３０５）と、利用フレーム表示部（３３０６）と、「記録部」（３３１７）と、「付加情報取得部」（３３１８）と、「処理部」（３３１９）を有する。「撮像装置」（３３００）としては、デジタルカメラを搭載した携帯電話や一般的デジタルカメラ等が挙げられる。
【０３０９】
以下、本実施形態の「処理部」（３３１９）の構成について説明する。尚、その他の構成については、実施形態１３と同様であるので、ここでの詳細な説明は省略する。
【０３１０】
「処理部」（３３１９）は、付加情報に応じ記録された画像を処理するよう構成されている。ここでの「処理」は、画像を利用して行う各種処理を含む。例えば、画像をメールなどにより送信したり、撮像した画像の一部をデジタル加工により切り出したり、画像の中に文字等の情報を付け加えたりする処理などが挙げられる。すなわち、処理部（３３１９）は、付加情報を利用して記録部（３３１７）より１以上の画像を取り出し、それらを一括して、または、個別に、メールにより送信したり、デジタル加工したり、編集したりすることができるよう構成されている。例えば、付加情報としてどの連続撮像の際に撮像された画像であるか識別する情報を利用することができる。つまり、付加情報として連続撮像単位を識別する識別情報を利用することができる。連続撮像単位で行いたい処理がある場合に、この付加情報と連続撮像単位で行ないたい処理とを関連付ければ、連続撮像された複数の画像に一括処理が可能となる。つまり、１つ１つの画像ごとに処理を選択したり、処理する画像を１つ１つ選択したりする手間が省ける。１つの画像に対して行なう処理を同じタイミングで連続撮像された他の画像に対しても行なえるように処理アルゴリズムを構成しておけば、１つの画像に対して行なわれる処理の命令を処理部が受け取ったときに、その画像の付加情報を検索して、付加情報の中から連続撮像単位を識別する情報を取り出し、その情報に基づいて同じ処理を付すべき他の画像を選択し、選択された他の画像に同じ処理を実行することが可能となる。連続撮像単位で行ないたい処理の一例としては連続撮像した複数の画像の全てに撮像の日時情報（内蔵時計やインターネット通信などを介して取得）や、撮像場所情報（その場所に埋め込まれているＲＦＩＤのライターから自身が備えているＲＦＩＤを介して取得、ＧＰＳシステムを利用して取得など）や、撮像をした者の識別情報（利用者自身が入力、利用者の指紋情報や虹彩情報を撮像ボタンに備えられた指紋センサーや、ファインダーに内蔵された虹彩センサーを利用して取得など）や、その撮像の際の音声情報（内蔵マイクなどを利用）や、撮像環境情報（照度、気温、湿度、高度、風速、など：別途備えられているセンサーにより検知）や、人物抽出部で抽出され、全体の画像に写っている全参加者の名簿情報などを追加の付加情報として書き込むことなどが該当する。
<実施形態１４のハードウェア構成>
【０３１１】
本実施形態における撮像装置を実現するためのハードウェア構成は、すでに示した図３と同様である。
【０３１２】
処理部（３３１９）は、ＣＰＵ（０３０１）、揮発性メモリ（０３０２）などからなる。  
【０３１３】
<実施形態１４の具体例>
【０３１４】
以下に、上記ハードウェア構成からなる撮像装置が付加情報を利用して画像を取り出す具体的な動作の一例を説明する。
【０３１５】
ＣＰＵ（０３０１）は、利用者が入力した「付加情報を利用して画像を取り出すための信号」を取得すると、入力された付加情報と関連付けて記録されているすべてのフレーム識別情報を揮発性メモリ（０３０３）から取り出し、揮発性メモリ（０３０２）に一時保存する。次に、揮発性メモリ（０３０２）に一時保存しているフレーム識別情報と関連付けて記録されている画像を取り出し、揮発性メモリ（０３０２）に保存する。そして、取り出した画像をディスプレイ（０３０５）に表示するなどする。
<実施形態１４の効果>
【０３１６】
本実施形態の撮像装置は、撮像し保存している画像の中から、付加情報を利用して希望する画像をまとめて取り出した後、付加情報を利用してまとめてメール送信や編集などを行うことができる。これにより、撮像後の画像の編集などが容易になる。
<<実施形態１５>>
<実施形態１５の概要>
【０３１７】
本実施形態の撮像装置は、実施形態１から１４のうちのいずれか１つを基本とし、さらに、動画像を撮像することができる。本実施形態の撮像装置は、ファインダに映し出された動画像を撮像中、フレームによりファインダ内で他の領域を定めることができる。そして、撮像しながら、撮像する領域をフレームにより定めた領域にスムーズに遷移することが出来る。
【０３１８】
図３４の概念図は、本実施形態の撮像装置により動画像を撮像した効果の一例を示す概念図である。利用者は、あるシンガーのステージを動画像で撮像している。図の撮像装置は、ファインダ全域に映し出された領域を撮像中である（図３４−Ａ）。また、利用者は撮像装置のファインダ内に、シンガーの顔を拡大して撮像できるようなフレームを１つ定めている。この後、利用者が撮像する領域をフレームにより定めた領域に遷移するよう操作すると、光学ズーム、又は、デジタルズームなどにより拡大などしながら、撮像する画像がフレームにより定めた領域にスムーズに遷移する。図中のフィルム（図３４−Ｂ）は、当該撮像装置によりスムーズに遷移しながら動画像を撮像した効果を示す概念図である。
<実施形態１５の機能的構成>
【０３１９】
図３５は、本実施形態の撮像装置の機能ブロックの一例を表す図である。この図にあるように、本実施例の「撮像装置」（３５００）の機能ブロックは、実施形態１の撮像装置（図２）を基本とし、「利用フレーム表示部」（３５０６）を有し、さらに、「焦点部」（３５０４）が「遷移手段」を有する。
すなわち、本実施例の「撮像装置」（３５００）は、「ファインダ」（３５０１）と、「フレーム情報取得部」（３５０２）と、「撮像ボタン」（３５０３）と、「焦点部」（３５０４）と、「撮像部」（３５０５）と、利用フレーム表示部（３５０６）とを有する。「撮像装置」（３５００）としては、デジタルカメラを搭載した携帯電話や一般的デジタルカメラ等が挙げられる。
【０３２０】
以下、本実施形態の「焦点部」（３５０４）と、と、の構成について説明する。尚、その他の構成については、実施形態１から１４のうちのいずれか１つと同様であるので、ここでの詳細な説明は省略する。
【０３２１】
「焦点部」（３５０４）は、実施形態１から１４のうちのいずれか１つの構成を基本とし、さらに、遷移手段により、焦点をあてる領域を１つのフレームから他のフレームにスムーズ遷移するよう構成されている。ここで、「スムーズ遷移」とは、撮像する領域を遷移するスピード及び撮像する領域を拡大又は縮小するスピードなどが一定である遷移を言う。利用者が撮像しながら、手動で撮像する領域の遷移、拡大などを行うと、撮像した画像がぼやけたり揺れたりする場合がある。これは、撮像する領域を遷移するスピードや撮像する領域を拡大又は縮小するスピードが一定でないために起こりうる。せっかく撮像した画像がぼやけたり揺れたりしていると、後で観賞する際に喜びが半減してしまう。そこで、本実施形態の焦点部（３５０４）は、あらかじめ利用者がファインダ内でフレームにより定めた領域に、一定のスピードで遷移し、一定のスピードで画像を拡大又は縮小できるよう構成されている。そして、撮像部（３５０５）は、遷移部（３５０４）が撮像する領域を遷移している間も動画像を撮像し続けることができるよう構成されている。
<実施形態１５のハードウェア構成>
【０３２２】
本実施形態における撮像装置を実現するためのハードウェア構成は、すでに示した図３と同様である。
<実施形態１５の具体例>
【０３２３】
以下に、上記ハードウェア構成からなる撮像装置の具体的な動作の一例を説明する。
【０３２４】
まず、利用者が撮像装置の入力操作キー（図示せず）を操作して動画撮像用モードに切替える。すると、ＣＰＵ（０３０１）は、ディスプレイ（０３０６）上に、撮像可能な画像を映し出す。これは、ＣＣＤ（０３１１）から取得した映像信号を映像信号出力回路（０３１０）でデジタル信号に変換し、当該信号を利用してディスプレイ上に画像を映し出すことで実現する。また、ＣＰＵ（０３０１）は、不揮発性メモリ（０３０３）から初期モードとして保存されているフレーム情報を取り出し、揮発性メモリ（０３０２）に一時保存する。そして、当該情報に従い、ディスプレイ（０３０５）上に１以上のフレームを表示する。
【０３２５】
次に、利用者はファインダ内に映し出された被写体を確認しながら、撮像する領域を決定し、撮像ボタン（０３０７）を押下する。すると、ＣＰＵ（０３０１）は、常時、ＣＣＤ（０３１１）から取得した映像信号を映像信号出力回路（０３１０）でデジタル信号に変換し、ＨＤＤ（０３０４）などに保存する。
【０３２６】
その後、利用者はグラフィカルポインタ（０３０８）などにより、ファインダ内に表示されているフレームの位置、大きさなどを調整し、撮像したい領域を決定する。そして撮像する画像をフレームにより定める画像に遷移するよう撮像ボタン（０３０７）などにより入力する。すると、ＣＰＵ（０３０１）は、揮発性メモリ（０３０２）に一時的に保存しているフレーム情報を取り出し、現在の焦点位置及び範囲を示す情報と前記フレーム情報との差異を演算処理する。そして、その結果に基づいて焦点をあわすようオートフォーカス駆動回路（０３１２）に指示を出す。オートフォーカス駆動回路（０３１２）は、前記指示に従い、一定のスピードで拡大または縮小するなどして焦点をあわせる。ＣＰＵ（０３０１）はこの間も、常時、ＣＣＤ（０３１１）から取得した映像信号を映像信号出力回路（０３１０）でデジタル信号に変換し、ＨＤＤ（０３０４）などに保存するよう指示する。そして、ＣＰＵ（０３０１）は利用者からの撮像を終了する指示信号を取得すると、処理を終了する。
【０３２７】
なお、上記ハードウェア構成は一例を示すものであり、上記以外のハードウェアにて本電子機器を構成しても良い。この場合には、各ハードウェア構成における処理は上記処理に限られない。
<実施形態１５の処理の流れ>
【０３２８】
本実施形態の処理の流れの一例を図３６のフローチャートに示す。
【０３２９】
まず、撮像装置の操作を受付けて動画像撮像用モード切替信号を取得し、これに応じて動画像撮像用モードに切替える（Ｓ３６０１、Ｓ３６０２：動画像撮像用モード切替ステップ）。
【０３３０】
撮像する領域を定めた１以上のフレーム情報を取得する（Ｓ３６０３：フレーム情報取得ステップ）。そして、取得したフレーム情報に基づいてファインダ内に利用フレームを表示する（Ｓ３６０４：利用フレーム表示ステップ）。
【０３３１】
その後、撮像ボタンの１回押下信号を検知する（Ｓ３６０５：１回押下信号検知ステップ）。すると、ファインダ内全域の画像を撮像し、映像信号に変換し、動画ファイルとして記憶する（Ｓ３６０６：撮像ステップ）。
【０３３２】
そして、撮像ボタンの操作などにより、撮像する画像をファインダ内に表示されたフレーム内領域に変更する信号を取得する（Ｓ３６０７：撮像領域変更信号取得ステップ）。
【０３３３】
すると、フレーム情報取得ステップにて取得された１以上のフレーム情報の中から１つのフレーム情報を選択して、選択したフレーム情報に従って撮像焦点をあわせる（Ｓ３６０８：合焦ステップ）。その間、撮像ステップでの撮像を継続する（Ｓ３６０６：撮像ステップ）。
【０３３４】
その後、動画像の撮像を終了する信号を取得すると（Ｓ３６０９：動画像撮像終了信号取得ステップ）、撮像を終了する。そして、次の撮像ボタンの押下があるまで待機する。動画像撮像モードから他のモードへ切替がなされた場合には、待機処理を終了する。
<実施形態１５の効果>
【０３３５】
本実施形態の撮像装置は、ファインダ内全域を動画像として撮像しながら、ファインダ内に表示されたフレームにより他の撮像するための領域を定めることができる。そして、撮像する領域をフレームにより定めた領域にスムーズに遷移することができる。
【０３３６】
これらの機能により、ある瞬間の風景を、利用者の希望する様々な１以上の領域によりブレやぼやけなどなく鮮明に動画像として撮像し保存することが可能である。
<<実施形態１６>>
<実施形態１６の概要>
【０３３７】
本実施形態の撮像装置は、実施形態１５を基本とし、さらに、ファインダに映し出された動画像を撮像中、フレームによりファインダ内で他の１以上の領域を定めることができる。
【０３３８】
そして、撮像する画像をフレームにより定めた１以上の領域に順次スムーズに遷移することができる。
【０３３９】
図３７は、本実施形態の撮像装置により動画像を撮像した効果の一例を示す概念図である。利用者は、あるシンガーグループのステージを動画像で撮像している。図の撮像装置は、ファインダ全域に映し出された画像を撮像中である（図３７−Ａ）。そして、撮像装置のファインダ内に、グループの３人のメンバーそれぞれを撮像できるようなフレームが３つ定められている。３つのフレームの右上に付されている番号は、撮像する領域を遷移させる順番を示すものである。
【０３４０】
この後、利用者が撮像する領域をフレームにより定めた領域に遷移するよう操作すると、光学ズーム、又は、デジタルズームなどにより拡大などしながら、１→２→３の順に、フレームにより定められた領域にスムーズに遷移する。図中のフィルム（図３７−Ｂ）は、本撮像装置により、１→２→３のフレームの順にスムーズに遷移しながら動画像を撮像した効果を示す概念図である。
<実施形態１６の機能的構成>
【０３４１】
図４５は、本実施形態の撮像装置の機能ブロックの一例を表す図である。この図にあるように、本実施例の「撮像装置」（４５００）の機能ブロックは、実施形態１５の撮像装置（図３５）を基本とし、さらに、「焦点部」（４５０４）が「決定手段」を有する。
すなわち、本実施例の「撮像装置」（４５００）は、「ファインダ」（４５０１）と、「フレーム情報取得部」（４５０２）と、「撮像ボタン」（４５０３）と、「焦点部」（４５０４）と、「撮像部」（４５０５）と、「利用フレーム表示部」（４５０６）とを有する。「撮像装置」（４５００）としては、デジタルカメラを搭載した携帯電話や一般的デジタルカメラ等が挙げられる。
【０３４２】
以下、本実施形態の「焦点部」（４５０４）と、「撮像部」（４５０５）との構成について説明する。尚、その他の構成については、実施形態１５と同様であるので、ここでの詳細な説明は省略する。
【０３４３】
「焦点部」（４５０４）は、実施形態１５の構成を基本とし、さらに、所定のルールにより焦点順位を定める決定手段を備えるよう構成されている。「焦点順位」とは、ファインダ内に複数の撮像する領域が定められている場合、複数の領域それぞれに定められるものであり、撮像するために焦点をあわせる順番を示すものである。すなわち、焦点部（４５０４）は、焦点順位に従って撮像する画像の焦点をあわせるよう構成されている。ここで、焦点順位を定める所定のルールとしては、例えば、ファインダ内の左側に位置するフレームから順番に焦点順位を定めるようなルールでもよい。また、フレームにより定められた領域の面積が大きいものから順番に焦点順位を定めるようなルールでもよい。さらに、ファインダ内に定められた複数のフレームの中に、実施形態４で説明した人物抽出部の顔認識機能を利用して生成されたフレームがある場合、当該フレームを優先して焦点順位を定めるようなルールでもよい。
【０３４４】
焦点部（４５０４）は、このようにして定められた焦点順位に従って、複数の領域に順次スムーズに遷移して焦点をあわせるよう構成されている。
【０３４５】
「撮像部」（４５０５）は、焦点部（４５０４）が遷移手段により撮像する領域をスムーズに遷移している間も動画像を撮像しつづけるよう構成されている。
<実施形態１６のハードウェア構成>
【０３４６】
本実施形態における撮像装置を実現するためのハードウェア構成は、すでに示した図３と同様である。
<実施形態１６の具体例>
以下に、上記ハードウェア構成からなる撮像装置の具体的な動作の一例を説明する。
【０３４７】
まず、利用者が撮像装置の入力操作キー（図示せず）を操作して動画撮像用モードに切替える。すると、ＣＰＵ（０３０１）は、ディスプレイ（０３０６）上に、撮像可能な画像を映し出す。これは、ＣＣＤ（０３１１）から取得した映像信号を映像信号出力回路（０３１０）でデジタル信号に変換し、当該信号を利用してディスプレイ上に画像を映し出すことで実現する。また、ＣＰＵ（０３０１）は、不揮発性メモリ（０３０３）から初期モードとして保存されているフレーム情報を取り出し、揮発性メモリ（０３０２）に一時保存する。そして、当該情報に従い、ディスプレイ（０３０５）上に１以上のフレームを表示する。また、ＣＰＵ（０３０１）は、不揮発性メモリ（０３０３）から焦点順位を定めるための所定のルールを取り出し、揮発性メモリ（０３０２）に保存している１以上のフレーム情報に、焦点順位を定める。
【０３４８】
次に、利用者はファインダ内に映し出された被写体を確認しながら、撮像する領域を決定し、撮像ボタン（０３０７）を押下する。すると、ＣＰＵ（０３０１）は、常時、ＣＣＤ（０３１１）から取得した映像信号を映像信号出力回路（０３１０）でデジタル信号に変換し、ＨＤＤ（０３０４）などに保存する。
【０３４９】
その後、利用者はグラフィカルポインタ（０３０８）などにより、ファインダ内に表示されているフレームの位置、大きさなどを調整し、撮像したい領域を決定する。そして撮像する画像をフレームにより定める画像に遷移するよう撮像ボタン（０３０７）などにより入力する。すると、ＣＰＵ（０３０１）は、焦点順位に従って、揮発性メモリ（０３０２）に一時的に保存しているフレーム情報を取り出し、現在の焦点位置及び範囲を示す情報と前記フレーム情報との差異を演算処理する。そして、その結果に基づいて焦点をあわすようオートフォーカス駆動回路（０３１２）に指示を出す。オートフォーカス駆動回路（０３１２）は、前記指示に従い、一定のスピードで拡大または縮小するなどして焦点をあわせる。ＣＰＵ（０３０１）はこの間も、常時、ＣＣＤ（０３１１）から取得した映像信号を映像信号出力回路（０３１０）でデジタル信号に変換し、ＨＤＤ（０３０４）などに保存するよう指示する。ＣＰＵ（０３０１）は、オートフォーカス駆動回路（０３１２）で焦点をあわせ終えると、他のフレーム情報を取り出し、同様の処理を行う。すべてのフレーム情報に基づいて焦点をあわせ終えると、ＣＰＵ（０３０１）は、そのままの画像で撮像を行うよう指示する。そして、ＣＰＵ（０３０１）は利用者からの撮像を終了する指示信号を取得すると、処理を終了する。
【０３５０】
なお、上記ハードウェア構成は一例を示すものであり、上記以外のハードウェアにて本電子機器を構成しても良い。この場合には、各ハードウェア構成における処理は上記処理に限られない。
<実施形態１６の処理の流れ>
【０３５１】
本実施形態の処理の流れの一例を図３８のフローチャートに示す。
【０３５２】
まず、撮像装置の操作を受付けて動画像撮像用モード切替信号を取得し、これに応じて動画像撮像用モードに切替える（Ｓ３８０１、Ｓ３８０２：動画像撮像用モード切替ステップ）。
【０３５３】
撮像する領域を定めた１以上のフレーム情報を取得する（Ｓ３８０３：フレーム情報取得ステップ）。そして、取得したフレーム情報に基づいてファインダ内に利用フレームを表示する（Ｓ３８０４：利用フレーム表示ステップ）。また、ファインダ内に表示された複数のフレームの中で、焦点をあわせる順番を所定のルールにより定める（Ｓ３８０５：焦点順位決定ステップ）。
【０３５４】
その後、撮像ボタンの１回押下信号を検知する（Ｓ３８０６：１回押下信号検知ステップ）。すると、ファインダ内全域の画像を撮像し、映像信号に変換し、動画ファイルとして記憶する（Ｓ３８０７：撮像ステップ）。
【０３５５】
そして、撮像ボタンの操作などにより、撮像する画像をファインダ内に表示されたフレーム内領域に変更する信号を取得する（Ｓ３８０８：撮像領域変更信号取得ステップ）。
【０３５６】
すると、フレーム情報取得ステップにて取得された１以上のフレーム情報の中から、焦点順位に従ってフレーム情報を順次選択し、選択したフレーム情報に従って撮像焦点をあわせる（Ｓ３８０９：合焦ステップ）。その間、撮像ステップでの撮像を継続する（Ｓ３８０８：撮像ステップ）。
【０３５７】
その後、動画像の撮像を終了する信号を取得すると（Ｓ３８１０：動画像撮像終了信号取得ステップ）、撮像を終了する。そして、次の撮像ボタンの押下があるまで待機する。動画像撮像モードから他のモードへ切替えがなされた場合には、待機処理を終了する。
<実施形態１６の効果>
【０３５８】
本実施形態の撮像装置は、ファインダ内全域を動画像として撮像しながら、ファインダ内に表示されたフレームにより、他の撮像するための領域を撮像する順番とともに定めることができる。そして、撮像する領域をフレームにより定めた領域に、定めた順番でスムーズに遷移することができる。
<<実施形態１７>>
<実施形態１７の概要>
【０３５９】
本実施形態の撮像装置は、実施形態１６を基本とし、さらに、ファインダに映し出された動画像を撮像中、フレームによりファインダ内で他の１以上の領域を定めることができる。そして、撮像する画像をフレームにより定めた１以上の領域に順次スムーズに遷移することができる。また、本実施形態の撮像装置は、１以上のフレームに遷移する順番を定めるルールを、利用者が自由に設定可能である。
【０３６０】
これにより、利用者の希望する領域を利用者の希望する順番に撮像することができる。
<実施形態１７の機能的構成>
【０３６１】
図４６は、本実施形態の撮像装置の機能ブロックの一例を表す図である。この図にあるように、本実施例の「撮像装置」（４６００）の機能ブロックは、実施形態１６の撮像装置（図４５）を基本とし、さらに、「焦点部」（４６０４）が「焦点順位ルール生成手段」を有する。
すなわち、本実施例の「撮像装置」（４６００）は、「ファインダ」（４６０１）と、「フレーム情報取得部」（４６０２）と、「撮像ボタン」（４６０３）と、「焦点部」（４６０４）と、「撮像部」（４６０５）と、利用フレーム表示部（４６０６）とを有する。「撮像装置」（４６００）としては、デジタルカメラを搭載した携帯電話や一般的デジタルカメラ等が挙げられる。
【０３６２】
以下、本実施形態の「焦点部」（４６０４）の構成について説明する。尚、その他の構成については、実施形態１６と同様であるので、ここでの詳細な説明は省略する。
【０３６３】
「焦点部」（４６０４）は、前記焦点順位を定める所定のルールをユーザ入力に従って生成する焦点順位ルール生成手段を備えるよう構成されている。所定のルールとは、実施形態１６で説明した通り、「ファインダ内で定められた複数のフレームに焦点をあわせる順番」を定める焦点順位を定めるものである。すなわち、利用者は所定のルールを自由に定めることで、複数のフレームに希望通りの焦点順位を定めることができる。そして、希望通りの順番に焦点をあてて撮像することができる。具体的な所定のルールとしては、実施形態１６で説明したとおりであるが、さらに、「利用者の入力に従って焦点順位を定める。」というルールを定めることができてもよい。かかる場合、利用者は１以上のフレームの中から操作キーなどで１つを選択し、数字ボタンなどにより直接焦点順位を入力することができる。そして、焦点部（４６０４）は前記入力情報を取得し、焦点順位を定めるように構成されている。
<実施形態１７のハードウェア構成>
【０３６４】
本実施形態における撮像装置を実現するためのハードウェア構成は、すでに示した図３と同様である。
<実施形態１７の具体例>
【０３６５】
以下に、上記ハードウェア構成からなる撮像装置の具体的な動作の一例を説明する。
【０３６６】
ＣＰＵ（０３０１）は、利用者がグラフィカルポインタ（０３０８）などにより入力した、ルールを生成するための信号を取得すると、不揮発性メモリ（０３０３）よりルールを生成するためのプログラムを取り出す。そして、取得した信号に基づき、ルールを生成するためのプログラムを利用してルールを生成する。その後、生成したルールを不揮発性メモリ（０３０３）に保存する。
【０３６７】
その以降、ＣＰＵ（０３０１）は、必要に応じて前記ルールを取り出して利用し、焦点順位を定めるなどする。
【０３６８】
なお、上記ハードウェア構成は一例を示すものであり、上記以外のハードウェアにて本電子機器を構成しても良い。この場合には、各ハードウェア構成における処理は上記処理に限られない。
<実施形態１７の処理の流れ>
【０３６９】
本実施形態の処理の流れの一例を図３９のフローチャートに示す。
【０３７０】
焦点順位を定める所定のルールを生成するための信号を取得する（Ｓ３９０１：ルール生成信号取得ステップ）。そして、取得した信号に従って、焦点順位を定める所定のルールを生成する（Ｓ３９０２：焦点順位ルール生成ステップ）。
<実施形態１７の効果>
【０３７１】
本実施形態の撮像装置は、ファインダ内に表示された複数のフレームの中で、動画像を撮像するために焦点をあわせる順番を定めるルールを、利用者の入力により生成することができる。これにより、自動的に利用者が希望する通りに焦点をあわせる順番を定めることができ、利用者は手動で焦点をあわせる順番を設定するなどの手間を省くことが可能となる。
【図面の簡単な説明】
【０３７２】
【図１】実施形態１の効果を示す概念図
【図２】実施形態１の機能ブロック図
【図３】本撮像装置のハードウェア構成機能ブロック図の一例
【図４】実施形態１の処理の流れを示すフローチャート
【図５】実施形態２の効果を示す概念図
【図６】実施形態２の機能ブロック図
【図７】実施形態２の処理の流れを示すフローチャート
【図８】実施形態３の効果を示す概念図
【図９】実施形態３の機能ブロック図
【図１０】実施形態３の処理の流れを示すフローチャート
【図１１】実施形態４の効果を示す概念図
【図１２】実施形態４の機能ブロック図
【図１３】実施形態４の処理の流れを示すフローチャート
【図１４】実施形態５の効果を示す概念図
【図１５】実施形態５の処理の流れを示すフローチャート
【図１６】実施形態６の効果を示す概念図
【図１７】実施形態６の機能ブロック図
【図１８】実施形態６の処理の流れを示すフローチャート
【図１９】実施形態７の効果を示す概念図
【図２０】実施形態７の機能ブロック図
【図２１】実施形態７の処理の流れを示すフローチャート
【図２２】実施形態８の機能ブロック図
【図２３】実施形態８の処理の流れを示すフローチャート
【図２４】実施形態９の機能ブロック図
【図２５】実施形態９の処理の流れを示すフローチャート
【図２６】実施形態１０の効果を示す概念図
【図２７】実施形態１０の処理の流れを示すフローチャート
【図２８】実施形態１１の処理の流れを示すフローチャート
【図２９】実施形態１２の機能ブロック図
【図３０】実施形態１２の処理の流れを示すフローチャート
【図３１】実施形態１３の機能ブロック図
【図３２】実施形態１３の処理の流れを示すフローチャート
【図３３】実施形態１４の機能ブロック図
【図３４】実施形態１５の効果を示す概念図
【図３５】実施形態１５の機能ブロック図
【図３６】実施形態１５の処理の流れを示すフローチャート
【図３７】実施形態１６の効果を示す概念図
【図３８】実施形態１６の処理の流れを示すフローチャート
【図３９】実施形態１７の処理の流れを示すフローチャート
【図４０】人物の顔に自動生成するフレームの概念図
【図４１】人物の上半身に自動生成するフレームの概念図
【図４２】実施形態５の機能ブロック図
【図４３】実施形態１０の機能ブロック図
【図４４】実施形態１１の機能ブロック図
【図４５】実施形態１６の機能ブロック図
【図４６】実施形態１７の機能ブロック図
【符号の説明】
【０３７３】
０３０１    ＣＰＵ
０３０２    揮発性メモリ
０３０３    不揮発性メモリ
０３０４    ＨＤＤ
０３０５    ディスプレイ
０３０６    ユーザインターフェイス
０３０７    撮像ボタン
０３０８    グラフィカルポインタ
０３０９    Ｉ／Ｏ
０３１０    映像信号出力回路
０３１１    ＣＣＤ
０３１２    オートフォーカス駆動回路
０３１３    通信回路
０３１４    可搬型メディアインターフェイス
０３１５    可搬型メディア
【図１】
2008294788.tif 000003
【図２】
2008294788.tif 000004
【図３】
2008294788.tif 000005
【図４】
2008294788.tif 000006
【図５】
2008294788.tif 000007
【図６】
2008294788.tif 000008
【図７】
2008294788.tif 000009
【図８】
2008294788.tif 000010
【図９】
2008294788.tif 000011
【図１０】
2008294788.tif 000012
【図１１】
2008294788.tif 000013
【図１２】
2008294788.tif 000014
【図１３】
2008294788.tif 000015
【図１４】
2008294788.tif 000016
【図１５】
2008294788.tif 000017
【図１６】
2008294788.tif 000018
【図１７】
2008294788.tif 000019
【図１８】
2008294788.tif 000020
【図１９】
2008294788.tif 000021
【図２０】
2008294788.tif 000022
【図２１】
2008294788.tif 000023
【図２２】
2008294788.tif 000024
【図２３】
2008294788.tif 000025
【図２４】
2008294788.tif 000026
【図２５】
2008294788.tif 000027
【図２６】
2008294788.tif 000028
【図２７】
2008294788.tif 000029
【図２８】
2008294788.tif 000030
【図２９】
2008294788.tif 000031
【図３０】
2008294788.tif 000032
【図３１】
2008294788.tif 000033
【図３２】
2008294788.tif 000034
【図３３】
2008294788.tif 000035
【図３４】
2008294788.tif 000036
【図３５】
2008294788.tif 000037
【図３６】
2008294788.tif 000038
【図３７】
2008294788.tif 000039
【図３８】
2008294788.tif 000040
【図３９】
2008294788.tif 000041
【図４０】
2008294788.tif 000042
【図４１】
2008294788.tif 000043
【図４２】
2008294788.tif 000044
【図４３】
2008294788.tif 000045
【図４４】
2008294788.tif 000046
【図４５】
2008294788.tif 000047
【図４６】
2008294788.tif 000048